(57)【要約】【課題】メンテナンス性を向上できるプロジェクターを提供すること。【解決手段】プロジェクターは、光を出射する光源、及び、内部を流通する第１液体冷媒に光源の熱を伝達させて光源を冷却する第１冷却部を有する光源ユニットと、光源から出射された光を変調する光変調装置、及び、内部を流通する第２液体冷媒に光変調装置の熱を伝達させて光変調装置を冷却する第２冷却部を有する光学ユニットと、第１液体冷媒及び第２液体冷媒を冷却する冷却ユニットと、光源ユニット及び冷却ユニットを接続し、内部を第１液体冷媒が流通可能な第１接続部材と、光学ユニット及び冷却ユニットを接続し、内部を第２液体冷媒が流通可能な第２接続部材と、を備え、光源ユニット及び冷却ユニットと、光学ユニット及び冷却ユニットとのうち少なくとも一方は、互いに着脱可能に構成されている。【選択図】図５
2019074695.tif 000002
【特許請求の範囲】
【請求項１】
光を出射する光源、及び、内部を流通する第１液体冷媒に前記光源の熱を伝達させて前記光源を冷却する第１冷却部を有する光源ユニットと、
前記光源から出射された光を変調する光変調装置、及び、内部を流通する第２液体冷媒に前記光変調装置の熱を伝達させて前記光変調装置を冷却する第２冷却部を有する光学ユニットと、
前記第１液体冷媒及び前記第２液体冷媒を冷却する冷却ユニットと、
前記光源ユニット及び前記冷却ユニットを接続し、内部を前記第１液体冷媒が流通可能な第１接続部材と、
前記光学ユニット及び前記冷却ユニットを接続し、内部を前記第２液体冷媒が流通可能な第２接続部材と、を備え、
前記光源ユニット及び前記冷却ユニットと、前記光学ユニット及び前記冷却ユニットとのうち少なくとも一方は、互いに着脱可能に構成されていることを特徴とするプロジェクター。
【請求項２】
請求項１に記載のプロジェクターにおいて、
前記第１接続部材及び前記第２接続部材のうち少なくとも１つの接続部材は、
前記少なくとも１つの接続部材によって接続される２つのユニットのうち一方と接続される第１連結部と、
前記２つのユニットのうち他方と接続され、前記第１連結部に対して着脱可能な第２連結部と、を有することを特徴とするプロジェクター。
【請求項３】
請求項２に記載のプロジェクターにおいて、
前記少なくとも１つの接続部材は、前記第１連結部及び前記第２連結部の組を複数有し、
前記第１連結部の形状と前記第２連結部の形状とは異なることを特徴とするプロジェクター。
【請求項４】
請求項１から請求項３のいずれか一項に記載のプロジェクターにおいて、
前記光源ユニットは、
前記光源及び前記第１冷却部を含む光源部と、
前記光源から出射された光に作用する光学素子、及び、内部を流通する前記第１液体冷媒に前記光学素子の熱を伝達させて前記光学素子を冷却する第３冷却部を含む光学素子部と、
前記第１冷却部及び前記第３冷却部を接続し、内部を前記第１液体冷媒が流通可能な第３接続部材と、を有し、
前記光源部及び前記光学素子部は、互いに着脱可能に構成されていることを特徴とするプロジェクター。
【請求項５】
請求項４に記載のプロジェクターにおいて、
前記冷却ユニットは、前記第１液体冷媒の流路において前記光学素子部に対する上流に位置し、前記光学素子部に流通する前の前記第１液体冷媒の熱を放出して、前記第１液体冷媒を冷却するラジエータを有することを特徴とするプロジェクター。
【請求項６】
請求項４又は請求項５に記載のプロジェクターにおいて、
前記光学素子は、入射された光の波長を変換する波長変換素子、及び、入射された光を拡散させる光拡散素子のうち少なくとも一方であることを特徴とするプロジェクター。
【請求項７】
請求項１から請求項６のいずれか一項に記載のプロジェクターにおいて、
前記冷却ユニットは、前記第１液体冷媒の熱を放出する放熱器を有し、
前記放熱器は、前記光源及び前記光変調装置に対して熱的に隔離されていることを特徴とするプロジェクター。
【請求項８】
請求項７に記載のプロジェクターにおいて、
前記光源ユニット、前記光学ユニット及び前記冷却ユニットを内部に収容する外装筐体を備え、
前記外装筐体は、前記外装筐体の内部に設けられ、前記放熱器が配置される第１領域と、前記光源及び前記光変調装置が配置される第２領域とを区画して、前記第２領域に対して前記第１領域を熱的に隔離する隔壁を有することを特徴とするプロジェクター。
【請求項９】
請求項８に記載のプロジェクターにおいて、
前記第１領域内に配置され、前記放熱器に冷却気体を流通させる冷却ファンを備え、
前記外装筐体は、
前記第１領域内に前記外装筐体の外部の気体を前記冷却気体として導入する導入口と、
前記放熱器に流通した前記冷却気体を前記外装筐体の外部に排出する排出口と、を有することを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、形成された画像をスクリーン等の被投射面上に拡大投射する投射光学装置と、を備えたプロジェクターが知られている。このようなプロジェクターとして、液体冷媒を流通させて、冷却対象を冷却する冷却装置を備えたプロジェクターが知られている（例えば、特許文献１及び２参照）。
【０００３】
特許文献１に記載のプロジェクター（投射型映像表示装置）は、それぞれ光源としての赤色ＬＥＤ、緑色ＬＥＤ及び青色ＬＥＤと、これらＬＥＤを冷却する冷却手段と、を備える。これらのうち、冷却手段は、各ＬＥＤに結合した熱伝導部と、ラジエータと、これら熱伝導部及びラジエータの間に液体冷媒を循環させるポンプと、を備える。そして、熱伝導部にてＬＥＤから液体冷媒に伝達された熱は、当該液体冷媒が流通するラジエータにて放熱され、これにより、各ＬＥＤが冷却される。
【０００４】
特許文献２に記載のプロジェクター（映像表示装置）は、光源から出射された光のうち、赤色成分を変調する第１液晶表示部と、緑色成分を変調する第２液晶表示部と、青色成分を変調する第３液晶表示部と、冷却部と、を備える。この冷却部は、ポンプ、放熱器及びリザーブタンクを有する。これらのうち、ポンプは、第１液晶表示部、第２液晶表示部、第３液晶表示部の順に液体冷媒を流通させ、当該第３液晶表示部に供給された液体冷媒は、放熱器に供給された後、リザーブタンクに収容される。そして、このリザーブタンクに収容された液体冷媒は、ポンプによって再度供給されることにより、当該液体冷媒は、冷却部を循環し、各液晶表示部が冷却される。
【先行技術文献】
【特許文献】
【０００５】
【特許文献１】特開２００８−８９９１７号公報
【特許文献２】特開２００６−１７１３００号公報
【発明の概要】
【発明が解決しようとする課題】
【０００６】
ところで、プロジェクターの構成部品は、部品毎に劣化の進み具合や寿命が異なり、寿命を迎えた部品は交換する必要が生じる。
しかしながら、上記特許文献１及び２に記載のプロジェクターの構成では、冷却対象や冷却装置の構成部品を交換しようとしても、これらを容易に取り外すことができず、冷却対象とともに冷却装置全体をプロジェクターから取り外す必要が生じる。このため、当該プロジェクターでは、メンテナンス性が悪いという問題がある。
【０００７】
本発明は、上記課題の少なくとも一部を解決することを目的としたものであり、メンテナンス性を向上できるプロジェクターを提供することを目的の１つとする。
【課題を解決するための手段】
【０００８】
本発明の一態様に係るプロジェクターは、光を出射する光源、及び、内部を流通する第１液体冷媒に前記光源の熱を伝達させて前記光源を冷却する第１冷却部を有する光源ユニットと、前記光源から出射された光を変調する光変調装置、及び、内部を流通する第２液体冷媒に前記光変調装置の熱を伝達させて前記光変調装置を冷却する第２冷却部を有する光学ユニットと、前記第１液体冷媒及び前記第２液体冷媒を冷却する冷却ユニットと、前記光源ユニット及び前記冷却ユニットを接続し、内部を前記第１液体冷媒が流通可能な第１接続部材と、前記光学ユニット及び前記冷却ユニットを接続し、内部を前記第２液体冷媒が流通可能な第２接続部材と、を備え、前記光源ユニット及び前記冷却ユニットと、前記光学ユニット及び前記冷却ユニットとのうち少なくとも一方は、互いに着脱可能に構成されていることを特徴とする。
【０００９】
このような構成によれば、光源ユニット及び冷却ユニットが、互いに着脱可能に構成されている場合には、光源ユニットを取り外すことができ、また、光学ユニット及び冷却ユニットが、互いに着脱可能に構成されている場合には、光学ユニットを取り外すことができる。更に、光源ユニット及び冷却ユニットが、互いに着脱可能に構成され、かつ、光学ユニット及び冷却ユニットが、互いに着脱可能に構成されている場合には、冷却ユニットを取り外すことができる。これにより、故障等によって交換の必要が生じた場合等に、交換対象のユニットを取り外すことができる。従って、プロジェクターのメンテナンス性を向上させることができる。
【００１０】
上記一態様では、前記第１接続部材及び前記第２接続部材のうち少なくとも１つの接続部材は、前記少なくとも１つの接続部材によって接続される２つのユニットのうち一方と接続される第１連結部と、前記２つのユニットのうち他方と接続され、前記第１連結部に対して着脱可能な第２連結部と、を有することが好ましい。
なお、第１連結部及び第２連結部は、例えばカプラーによって構成できる。
このような構成によれば、例えば、第１連結部及び第２連結部が第１接続部材に位置する場合には、これら第１連結部及び第２連結部の連結を解除することによって、冷却ユニットから光源ユニットを取り外すことができる。同様に、第１連結部及び第２連結部が第２接続部材に位置する場合には、冷却ユニットから光学ユニットを取り外すことができる。更に、これら第１連結部及び第２連結部が、第１接続部材及び第２接続部材のそれぞれに設けられている場合には、光源ユニット及び光学ユニットから冷却ユニットを取り外すことができる。従って、交換対象のユニットが３つのユニットのいずれであっても、当該ユニットを他のユニットから取り外すことができる。
【００１１】
上記一態様では、前記少なくとも１つの接続部材は、前記第１連結部及び前記第２連結部の組を複数有し、前記第１連結部の形状と前記第２連結部の形状とは異なることが好ましい。
このような構成によれば、例えば第１連結部が液体冷媒の流通方向における上流側に位置し、第２連結部が下流側に位置するように決めた上で、これら第１連結部及び第２連結部を設けることにより、交換対象のユニットを取り外して新たなユニットを取り付ける際に、当該新たなユニットが反対向きに取り付けられることを抑制できる。従って、ユニットの誤組を抑制できる。
【００１２】
上記一態様では、前記光源ユニットは、前記光源及び前記第１冷却部を含む光源部と、前記光源から出射された光に作用する光学素子、及び、内部を流通する前記第１液体冷媒に前記光学素子の熱を伝達させて前記光学素子を冷却する第３冷却部を含む光学素子部と、前記第１冷却部及び前記第３冷却部を接続し、内部を前記第１液体冷媒が流通可能な第３接続部材と、を有し、前記光源部及び前記光学素子部は、互いに着脱可能に構成されていることが好ましい。
なお、光学素子としては、上記光に作用する光学部品が挙げられる。
このような構成によれば、光源部及び光学素子部のうち一方の構成を他方の構成に対して取り外すことができるので、当該一方の構成を容易に交換できる。従って、プロジェクターのメンテナンス性を一層向上させることができる。
【００１３】
上記一態様では、前記冷却ユニットは、前記第１液体冷媒の流路において前記光学素子部に対する上流に位置し、前記光学素子部に流通する前の前記第１液体冷媒の熱を放出して、前記第１液体冷媒を冷却するラジエータを有することが好ましい。
このような構成によれば、ラジエータによって冷却された第１液体冷媒を、光学素子部に直接流通させることができる。従って、光学素子を効果的に冷却できる。
【００１４】
上記一態様では、前記光学素子は、入射された光の波長を変換する波長変換素子、及び、入射された光を拡散させる光拡散素子のうち少なくとも一方であることが好ましい。
このような構成によれば、劣化等によって波長変換素子又は光拡散素子を交換する必要が生じた場合でも、これらのうちの少なくとも一方を取り外して交換できる。従って、プロジェクターのメンテナンス性を一層向上させることができる。
【００１５】
上記一態様では、前記冷却ユニットは、前記第１液体冷媒の熱を放出する放熱器を有し、前記放熱器は、前記光源及び前記光変調装置に対して熱的に隔離されていることが好ましい。
このような構成によれば、放熱器にて放出される熱が、光源及び光変調装置に伝達されることを抑制できる。従って、光源及び光変調装置の温度上昇を抑制できる。
【００１６】
上記一態様では、前記光源ユニット、前記光学ユニット及び前記冷却ユニットを内部に収容する外装筐体を備え、前記外装筐体は、前記外装筐体の内部に設けられ、前記放熱器が配置される第１領域と、前記光源及び前記光変調装置が配置される第２領域とを区画して、前記第２領域に対して前記第１領域を熱的に隔離する隔壁を有することが好ましい。
このような構成によれば、隔壁によって第２領域に対して第１領域が熱的に隔離されるので、当該第２領域に配置される光源及び光変調装置に、第１領域に配置される放熱器によって放出される熱が影響を及ぼすことを確実に抑制できる。従って、光源及び光変調装置の温度上昇を確実に抑制できる。
【００１７】
上記一態様では、前記第１領域内に配置され、前記放熱器に冷却気体を流通させる冷却ファンを備え、前記外装筐体は、前記第１領域内に前記外装筐体の外部の気体を前記冷却気体として導入する導入口と、前記放熱器に流通した前記冷却気体を前記外装筐体の外部に排出する排出口と、を有することが好ましい。
このような構成によれば、第１領域内に配置された放熱器に、温度が低い気体を冷却気体として流通させることができる。そして、当該放熱器を流通して温度が高くなった冷却気体は、排出口から排出されるので、当該第１領域内の温度を低く保つことができる。従って、放熱器による放熱効率を向上させることができ、当該放熱器によって第１液体冷媒を効果的に冷却できるので、当該第１液体冷媒によって冷却される光源を一層効果的に冷却できる。
【図面の簡単な説明】
【００１８】
【図１】本発明の第１実施形態に係るプロジェクターの構成を示す模式図。
【図２】上記第１実施形態における画像投射装置の構成を示す模式図。
【図３】上記第１実施形態における光源装置の構成を示す模式図。
【図４】上記第１実施形態における液晶パネルを示す斜視図。
【図５】上記第１実施形態における冷却装置の構成を示す模式図。
【図６】上記第１実施形態における連結部の構成を示す模式図。
【図７】本発明の第２実施形態に係るプロジェクターが備える冷却装置の構成を示す模式図。
【図８】本発明の第３実施形態に係るプロジェクターが備える冷却装置の構成を示す模式図。
【発明を実施するための形態】
【００１９】
［第１実施形態］
以下、本発明の第１実施形態について、図面に基づいて説明する。
［プロジェクターの概略構成］
図１は、本実施形態に係るプロジェクター１の構成を示す模式図である。
本実施形態に係るプロジェクター１は、光源装置４１から出射される光を変調して画像情報に応じた画像を形成し、当該画像をスクリーン等の被投射面上に拡大投射する投射型表示装置である。このプロジェクター１は、図１に示すように、外装を構成する外装筐体２と、当該外装筐体２内に収容される装置本体３と、を備える。
このようなプロジェクター１は、詳しくは後述するが、冷却対象を冷却する冷却装置５の構成及び配置に特徴の１つを有する。
以下、プロジェクター１の構成について、詳述する。
【００２０】
［外装筐体の構成］
外装筐体２は、略直方体形状に形成されている。この外装筐体２は、正面部２３、背面部２４、右側面部２５（正面部２３側から見て右側に位置する側面部）及び左側面部２６（正面部２３側から見て左側に位置する側面部）を有する他、それぞれ図示を省略するが、これら面部２３〜２６の一端側を接続する天面部と、これら面部２３〜２６の他端側を接続する底面部と、を有する。なお、底面部は、プロジェクター１の設置面に対向する面であり、複数の脚部が配設されている。
【００２１】
正面部２３は、後述する投射光学装置４８の一部を露出させる開口部２３１と、当該開口部２３１に対して左側面部２６側及び右側面部２５側に位置し、外装筐体２の外部の気体を冷却気体として内部に取り込む導入口２３２，２３３とを有する。これら導入口２３２，２３３には、図示を省略するが、取り込む冷却気体から塵埃を除去するエアフィルターが設けられている。
左側面部２６は、背面部２４側の位置に、外装筐体２の外部の気体を冷却気体として内部に導入する導入口２６１を有する。なお、本実施形態では、導入口２６１には、エアフィルターは設けられていない。これについては、後に詳述する。
背面部２４は、外装筐体２内を流通した気体を外装筐体２外に排出する排出口２４１，２４２を有する。これらのうち、排出口２４１は、背面部２４において右側面部２５側の位置に形成され、排出口２４２は、排出口２４１より左側面部２６側の位置に形成されている。
【００２２】
このような外装筐体２は、当該外装筐体２内の領域を区画する隔壁２７を有する。この隔壁２７は、外装筐体２内の背面部２４側の位置に略Ｌ字状に設けられ、当該外装筐体２内における隔壁２７内の第１領域Ａ１と、隔壁２７外の第２領域Ａ２とを区画して、第２領域Ａ２に対して第１領域Ａ１を熱的に隔離する。
そして、上記導入口２６１を介して第１領域Ａ１内に導入された冷却気体は、排出口２４２から排出される。
このような第１領域Ａ１内には、後述する冷却装置５の一部の構成が配置される。これについては、後に詳述する。
【００２３】
なお、以下の説明では、互いに交差する＋Ｚ方向、＋Ｘ方向及び＋Ｙ方向のうち、＋Ｚ方向を、背面部２４から正面部２３に向かう方向とする。また、＋Ｘ方向を、左側面部２６から右側面部２５に向かう方向とし、＋Ｙ方向を、底面部から天面部に向かう方向とする。すなわち、＋Ｚ方向は、図１の図面視で下側から上側に向かう方向であり、＋Ｘ方向は、右側から左側に向かう方向であり、＋Ｙ方向は、奥側から手前側に向かう方向である。また、図示を省略するが、＋Ｚ方向の反対方向を−Ｚ方向とする。−Ｘ方向及び−Ｙ方向も同様である。なお、以下の説明では、＋Ｚ方向、＋Ｘ方向及び＋Ｙ方向は、それぞれ互いに直交する方向（垂直な方向）として規定している。
【００２４】
［装置本体の構成］
装置本体３は、外装筐体２に収容される内部構成である。この装置本体３は、画像投射装置４、冷却装置５及び電源装置９を備える。この他、図１では図示を省略するが、装置本体３は、プロジェクター１の動作を制御する制御装置を備える。
これらのうち、電源装置９は、外装筐体２内において＋Ｘ方向側の位置に、右側面部２５に沿って配置されている。この電源装置９は、外部から供給される電力を変圧して、プロジェクター１を構成する各電子部品に供給する。
【００２５】
［画像投射装置の構成］
図２は、画像投射装置４の構成を示す模式図である。
画像投射装置４は、上記制御装置から入力される画像情報に応じた画像を形成及び投射するものであり、外装筐体２内において、＋Ｚ方向側で、かつ、−Ｘ方向側に配置されている。この画像投射装置４は、図２に示すように、光源装置４１、画像形成装置４２及び投射光学装置４８を有する。また、画像形成装置４２は、均一化装置４３、色分離装置４４、リレー装置４５、光学部品用筐体４６及び電気光学装置４７を有する。
これらのうち、光源装置４１は、後述する光源ユニットＵＮ１の一部を構成するものであり、外装筐体２内の＋Ｚ方向側の部位において左側面部２６（図１参照）に沿って配置される。また、画像形成装置４２は、後述する光学ユニットＵＮ２の一部を構成するものである。画像形成装置４２及び投射光学装置４８は、外装筐体２内の＋Ｚ方向側の部位において＋Ｘ方向における略中央に配置される。
【００２６】
［光源装置の構成］
図３は、光源装置４１の構成を示す模式図である。
光源装置４１は、赤、緑及び青の各色光を含む照明光を均一化装置４３に出射する。この光源装置４１は、図３に示すように、光源部４１０、アフォーカル光学素子４１１、第１位相差素子４１２、ホモジナイザー光学素子４１３、光合成素子４１４、第２位相差素子４１５、第１集光素子４１６、光拡散装置４１７、第２集光素子４１８、波長変換装置４１９及び第３位相差素子ＲＰを備える。
これらのうち、光源部４１０、アフォーカル光学素子４１１、第１位相差素子４１２、ホモジナイザー光学素子４１３、第２位相差素子４１５、第１集光素子４１６及び光拡散装置４１７は、光源装置４１に設定された第１照明光軸Ａｘ１上に配置される。一方、第２集光素子４１８、波長変換装置４１９及び第３位相差素子ＲＰと、後述する均一化装置４３とは、同じく光源装置４１に設定され、第１照明光軸Ａｘ１に交差する第２照明光軸Ａｘ２上に配置される。そして、光合成素子４１４は、第１照明光軸Ａｘ１と第２照明光軸Ａｘ２との交差部分に配置される。
【００２７】
［光源部の構成］
光源部４１０は、光源光を出射する。この光源部４１０は、第１光源４１０１、第２光源４１０２及び光合成部材４１０３と、２つの光源冷却部４１０４と、を有する。
第１光源４１０１は、ＸＹ平面に沿って配置され、＋Ｚ方向に光源光を出射する。この第１光源４１０１は、固体光源アレイＳＡと、当該固体光源アレイＳＡから出射された青色光を平行化するとともに縮径させる平行化素子（図示省略）と、を有する。
固体光源アレイＳＡは、ＬＤ（Laser Diode）である固体光源ＳＳがマトリクス状に複数配列された構成を有する。これら固体光源ＳＳは、光源光として例えばピーク波長が４４０ｎｍの青色光を出射するが、ピーク波長が４４６ｎｍの青色光や４６０ｎｍの青色光を出射してもよい。このような固体光源アレイＳＡから出射された光源光は、平行化素子により平行化されて、＋Ｚ方向に沿って光合成部材４１０３に入射される。
【００２８】
第２光源４１０２は、ＸＺ平面に沿って配置され、＋Ｙ方向に光源光を出射する。この第２光源４１０２は、詳しい図示を省略するが、第１光源４１０１と同様に、固体光源アレイＳＡ及び平行化素子を有する。
なお、第２光源４１０２の固体光源アレイＳＡに配列された固体光源ＳＳは、光源光として、上記第１光源４１０１の固体光源ＳＳと同じ波長の青色光を出射する。しかしながら、これに限らず、ピーク波長が異なる青色光をそれぞれ出射する固体光源を、第１光源４１０１及び第２光源４１０２に混在させてもよい。
また、本実施形態では、各固体光源ＳＳから出射される光源光は、ｓ偏光であるが、当該光源光は、ｐ偏光であってもよい。また、各光源４１０１，４１０２が、ｓ偏光の励起光を出射する固体光源ＳＳと、ｐ偏光の励起光を出射する固体光源ＳＳとを有する構成としてもよい。この場合、後述する第１位相差素子４１２を省略できる。
【００２９】
光合成部材４１０３は、第１光源４１０１から＋Ｚ方向に出射された光源光と、第２光源４１０２から＋Ｙ方向に出射された光源光とを合成して、＋Ｚ方向に出射する。
なお、光源部４１０は、第１光源４１０１のみ有する構成であってもよく、更に多くの光源を有する構成であってもよい。光源部４１０が第１光源４１０１のみ有する場合には、光合成部材４１０３を省略できる。
【００３０】
２つの光源冷却部４１０４のうち一方は、第１光源４１０１の固体光源アレイＳＡの光出射側とは反対側に設けられる。また、他方は、第２光源４１０２の固体光源アレイＳＡの光出射側とは反対側に設けられる。これら光源冷却部４１０４は、対応する固体光源アレイＳＡから伝達される熱を、液体冷媒である第３冷媒ＲＥ３（図５参照）に伝達させることによって、当該固体光源アレイＳＡ、ひいては、各固体光源ＳＳを冷却する。すなわち、各光源冷却部４１０４は、それぞれの内部を流通する第３冷媒ＲＥ３（第１液体冷媒）に第１光源４１０１及び第２光源４１０２の熱を伝達させて、第１光源４１０１及び第２光源４１０２を冷却する。これら光源冷却部４１０４は、第１冷却部に相当する。このような光源冷却部４１０４を流通する第３冷媒ＲＥ３については、後に詳述する。
【００３１】
［アフォーカル光学素子及び第１位相差素子の構成］
アフォーカル光学素子４１１は、レンズ４１１１，４１１２を有し、光源部４１０から入射される光源光を縮径した後、平行化して出射する。
第１位相差素子４１２は、１／２波長板である。この第１位相差素子４１２を通過することによって、アフォーカル光学素子４１１から入射されるｓ偏光の光源光は、一部がｐ偏光の光源光に変換されて、ｓ偏光とｐ偏光とが混在した光源光となる。
【００３２】
［ホモジナイザー光学素子の構成］
ホモジナイザー光学素子４１３は、２つのマルチレンズ４１３１，４１３２を有し、光拡散装置４１７及び波長変換装置４１９における被照明領域に入射される光源光の照度分布を均一化する。なお、ホモジナイザー光学素子４１３は、第１位相差素子４１２の光出射側に限らず、アフォーカル光学素子４１１と第１位相差素子４１２との間に配置されていてもよい。
【００３３】
［光合成素子の構成］
光合成素子４１４は、第１照明光軸Ａｘ１及び第２照明光軸Ａｘ２のそれぞれに対して略４５°傾斜した偏光分離層４１４１を有する。
偏光分離層４１４１は、ホモジナイザー光学素子４１３を介して入射される光源光に含まれるｓ偏光とｐ偏光とを分離する特性を有する他、波長変換装置４１９にて生じる蛍光を、当該蛍光の偏光状態に依らずに通過させる特性を有する。すなわち、偏光分離層４１４１は、青色光についてはｓ偏光とｐ偏光とを分離するが、緑色光及び赤色光についてはｓ偏光及びｐ偏光のそれぞれを通過させる、波長選択性の偏光分離特性を有する。
このように光分離素子としても機能する光合成素子４１４によって、ホモジナイザー光学素子４１３から入射された光源光のうち、ｐ偏光は、第１照明光軸Ａｘ１に沿って第２位相差素子４１５側に通過され、ｓ偏光は、第２照明光軸Ａｘ２に沿って第２集光素子４１８側に反射される。また、光合成素子４１４は、第２位相差素子４１５を介して入射される光源光と、第２集光素子４１８を介して入射される蛍光とを合成する。
【００３４】
［第２位相差素子及び第１集光素子の構成］
第２位相差素子４１５は、１／４波長板であり、光合成素子４１４から入射されるｐ偏光の光源光を円偏光の光源光に変換し、第１集光素子４１６から入射される光源光（当該円偏光とは逆廻りの円偏光）をｓ偏光に変換する。
第１集光素子４１６は、第２位相差素子４１５を通過した光源光を光拡散装置４１７に集光（集束）させ、また、光拡散装置４１７から入射される光源光を平行化する。この第１集光素子４１６は、３つのレンズ４１６１〜４１６３により構成されているが、第１集光素子４１６を構成するレンズの数は３に限らない。
【００３５】
［光拡散装置の構成］
光拡散装置４１７は、光拡散素子４１７１と、当該光拡散素子４１７１を回転させる回転装置４１７２と、を有する。
これらのうち、光拡散素子４１７１は、第１光源４１０１及び第２光源４１０２から出射された光に作用する光学素子であり、より具体的には、入射された光を拡散させる光学素子である。この光拡散素子４１７１は、回転装置４１７２による回転軸を中心とする環状の反射層を有する。当該反射層は、波長変換装置４１９にて生成及び出射される蛍光と同様の拡散角で、入射される光源光を拡散させる。具体的に、当該反射層は、入射光をランバート反射させる。
【００３６】
このような光拡散素子４１７１にて拡散反射された光源光は、第１集光素子４１６を介して再び第２位相差素子４１５に入射される。この光拡散素子４１７１にて反射される時に、当該光拡散素子４１７１に入射された円偏光は逆廻りの円偏光となり、第２位相差素子４１５を通過する過程にて、光合成素子４１４を通過するｐ偏光の光源光に対して偏光方向が９０°回転されたｓ偏光の光源光に変換される。このｓ偏光の光源光は、上記偏光分離層４１４１によって第２照明光軸Ａｘ２に沿うように反射され、第３位相差素子ＲＰを介して、後述する均一化装置４３に青色光として入射される。
【００３７】
［第２集光素子の構成］
第２集光素子４１８には、ホモジナイザー光学素子４１３を通過して上記偏光分離層４１４１にて反射されたｓ偏光の光源光が入射される。この第２集光素子４１８は、入射される光源光を波長変換装置４１９の被照明領域（後述する波長変換層４１９３）に集光し、また、当該波長変換装置４１９から入射される蛍光を平行化する。この第２集光素子４１８は、第１集光素子４１６と同様に、３つのレンズ４１８１〜４１８３により構成されているが、当該第２集光素子４１８が有するレンズの数は３に限らない。
【００３８】
［波長変換装置の構成］
波長変換装置４１９は、波長変換素子４１９１と、当該波長変換素子４１９１を回転させる回転装置４１９５と、を有する。
波長変換素子４１９１は、第１光源４１０１及び第２光源４１０２から出射された光に作用する光学素子であり、より具体的には、入射された光の波長を変換する光学素子である。この波長変換素子４１９１は、円盤状の支持体４１９２と、当該支持体４１９２において光源光の入射側の面４１９２Ａに位置する波長変換層４１９３及び反射層４１９４と、を有する。
【００３９】
波長変換層４１９３は、上記光源光の入射によって励起されて非偏光光である蛍光（例えば５００〜７００ｎｍの波長域にピーク波長を有する蛍光）を拡散出射する蛍光体を含む蛍光体層である。すなわち、波長変換層４１９３は、入射される青色光を当該蛍光に波長変換する。このような波長変換層４１９３にて生じる蛍光の一部は、第２集光素子４１８側に出射され、他の一部は、反射層４１９４側に出射される。
反射層４１９４は、波長変換層４１９３と支持体４１９２との間に配置され、当該波長変換層４１９３から入射される蛍光を第２集光素子４１８側に反射させる。
【００４０】
このような波長変換素子４１９１から拡散出射された蛍光は、第２照明光軸Ａｘ２に沿って、第２集光素子４１８、偏光分離層４１４１及び第３位相差素子ＲＰを通過して、均一化装置４３に入射される。すなわち、当該蛍光は、偏光分離層４１４１を通過することにより、当該偏光分離層４１４１にて反射された青色光である光源光と合成され、白色の照明光として、第３位相差素子ＲＰを介して均一化装置４３に入射される。
【００４１】
［第３位相差素子の構成］
第３位相差素子ＲＰは、１／２波長板であり、光合成素子４１４から入射される照明光をｓ偏光及びｐ偏光が混在する円偏光に変換する。このような第３位相差素子ＲＰが設けられるのは、当該照明光に含まれる蛍光が非偏光光であるのに対し、青色光がｓ偏光であることから、後述する偏光変換素子４３３の光出射面から青色光がストライプ状に出射されて、投射される画像に色むらが発生することを抑制するためである。
【００４２】
このような光源装置４１の一部は、略密閉された筐体である第２密閉筐体５４１（図５参照）内に配置される。具体的に、冷却対象である光拡散装置４１７及び波長変換装置４１９は、後述する第２密閉筐体５４１内に配置される。そして、詳しくは後述するが、これら光拡散装置４１７及び波長変換装置４１９には、当該第２密閉筐体５４１内の第４冷媒ＲＥ４が流通し、当該装置４１７，４１９は冷却される。
【００４３】
［均一化装置の構成］
上記光源装置４１から出射された照明光は、図２に示すように、画像形成装置４２の均一化装置４３に入射される。この均一化装置４３は、光源装置４１から入射される照明光の照度分布を均一化する。このような均一化装置４３は、第１レンズアレイ４３１、第２レンズアレイ４３２、偏光変換素子４３３及び重畳レンズ４３４を有する。
【００４４】
これらのうち、偏光変換素子４３３は、詳しい図示を省略するが、偏光分離層、反射層及び位相差層をそれぞれ複数有する。
複数の偏光分離層及び複数の反射層は、＋Ｙ方向に長く形成され、＋Ｚ方向に交互に配列されている。なお、各偏光分離層は、第２レンズアレイ４３２から出射された各部分光束が入射される位置に配置されている。また、各反射層は、当該各部分光束が直接入射されない位置に配置されている。
偏光分離層は、ｐ偏光を通過させ、ｓ偏光を反射させる。偏光分離層に応じて設けられた反射層は、当該偏光分離層にて反射されたｓ偏光を、ｐ偏光の通過方向に沿うように反射させる。そして、複数の位相差層のそれぞれは、偏光分離層を通過したｐ偏光の光路上に設けられ、入射されるｐ偏光をｓ偏光に変換する。これにより、偏光変換素子４３３から出射される光の偏光方向は、ｓ偏光に揃えられ、当該ｓ偏光が、偏光変換素子４３３の光出射面における略全面から出射される。なお、偏光変換素子４３３は、ｐ偏光に揃えてｐ偏光を出射する構成としてもよい。
【００４５】
［色分離装置の構成］
色分離装置４４は、均一化装置４３から入射される光束を、赤（Ｒ）、緑（Ｇ）及び青（Ｂ）の３つの色光に分離する。この色分離装置４４は、ダイクロイックミラー４４１，４４２、反射ミラー４４３を有する。この他、色分離装置４４は、ダイクロイックミラー４４１にて反射された青色光ＬＢが入射されるレンズ、及び、当該ダイクロイックミラー４４１を通過した緑色光ＬＧ及び赤色光ＬＲが入射されるレンズを備えていてもよい。
【００４６】
［リレー装置の構成］
リレー装置４５は、ダイクロイックミラー４４２を通過した赤色光ＬＲの光路上に設けられ、当該赤色光ＬＲを、赤色光ＬＲ用のフィールドレンズ４７１に導く。このリレー装置４５は、入射側レンズ４５１、反射ミラー４５２、リレーレンズ４５３及び反射ミラー４５４を備える。なお、本実施形態では、リレー装置４５は赤色光ＬＲを通す構成としたが、これに限らず、例えば青色光ＬＢを通す構成としてもよい。
【００４７】
［光学部品用筐体の構成］
光学部品用筐体４６は、内部に照明光軸Ａｘが設定された箱状筐体である。この光学部品用筐体４６内における照明光軸Ａｘ上の位置に、上記均一化装置４３、色分離装置４４及びリレー装置４５が配置される。光源装置４１は、上記第２照明光軸Ａｘ２が照明光軸Ａｘに対応するように配置される。また、電気光学装置４７及び投射光学装置４８も、光学部品用筐体４６の外部に位置するものの、当該照明光軸Ａｘに応じて配置される。
このような光学部品用筐体４６は、他の筐体と組み合わされて、後述する第１密閉筐体５１１を構成する。この第１密閉筐体５１１によって、内部が略密閉された第１空間Ｓ１が形成される。このような第１密閉筐体５１１内には、上記偏光変換素子４３３及び電気光学装置４７が配置される。
【００４８】
［電気光学装置の構成］
電気光学装置４７は、分離された各色光を変調した後、変調された各色光を合成して、画像光を形成する。この電気光学装置４７は、色光毎にそれぞれ設けられるフィールドレンズ４７１、光変調装置４７２及び冷却部４７６（図４参照）と、１つの色合成装置４７７と、を有する。
フィールドレンズ４７１は、入射光を平行化するレンズであり、上記光学部品用筐体４６に形成された溝部に挿入されて、上記照明光軸Ａｘ上に配置される。
光変調装置４７２（赤、緑及び青用の光変調装置を、それぞれ４７２Ｒ，４７２Ｇ，４７２Ｂとする）は、第１光源４１０１及び第２光源４１０２から出射された光を変調する。より具体的には、光変調装置４７２は、対応するフィールドレンズ４７１を介して入射される色光を画像情報に応じて変調して画像を形成する。この光変調装置４７２は、本実施形態では、液晶パネル４７４と、当該液晶パネル４７４に対する光入射側及び光出射側に位置する入射側偏光板４７３及び出射側偏光板４７５と、を有する。すなわち、本実施形態では、光変調装置４７２は、液晶ライトバルブによって構成されている。
【００４９】
図４は、光変調装置４７２を冷却する冷却部４７６を光入射側から見た斜視図である。なお、図４においては、光変調装置４７２を構成する入射側偏光板４７３及び出射側偏光板４７５の図示を省略している。
冷却部４７６は、図４に示すように、複数の光変調装置４７２のそれぞれに応じて設けられる。この冷却部４７６は、液晶パネル４７４を内部に収容する枠体であり、また、当該液晶パネル４７４及び各偏光板４７３，４７５を冷却する。このような冷却部４７６は、第２冷却部に相当する。
【００５０】
冷却部４７６の光入射側の面において、液晶パネル４７４の画像形成領域ＦＡ（変調領域）に応じた位置には、対応する色光を当該画像形成領域ＦＡに入射させる開口部４７６１が形成されている。また、図示を省略するが、冷却部４７６の光出射側の面には、液晶パネル４７４を通過した色光が出射される開口部が形成されている。なお、画像形成領域ＦＡは、横縦比が１６：９又は４：３のアスペクト比を有する横長に形成されている。
このような冷却部４７６における光出射側の面には、色合成装置４７７の各入射面に固定された保持部材（図示省略）に取り付けられ、当該色合成装置４７７に光変調装置４７２を一体化させる取付部材ＨＭが設けられる。
【００５１】
冷却部４７６は、上記画像形成領域ＦＡの長辺に沿う方向における両端から＋Ｙ方向に延出するパイプＰ１，Ｐ２を有する。これらパイプＰ１，Ｐ２のうち、一方のパイプは、後述する配管ＣＭ１２（図５参照）と接続され、また、他方のパイプは、後述する配管ＣＭ２２（図５参照）と接続される。そして、冷却部４７６内には、当該一方のパイプを介して流入される液体冷媒である第２冷媒ＲＥ２（図５参照）が流通可能な流路ＦＰが形成されている。
そして、冷却部４７６は、液晶パネル４７４及び各偏光板４７３，４７５から伝達される熱を、流路ＦＰ内を流通する液体冷媒に伝達して、これら液晶パネル４７４及び各偏光板４７３，４７５を冷却する。すなわち、各冷却部４７６は、それぞれの内部を流通する第２冷媒ＲＥ２（第２液体冷媒）に、対応する各光変調装置４７２の熱を伝達させて、各光変調装置４７２を冷却する。このように流路ＦＰを流通した液体冷媒は、上記他方のパイプを介して排出される。
【００５２】
色合成装置４７７は、図２に示すように、略四角柱状に形成されたクロスダイクロイックプリズムにより構成されている。この色合成装置４７７は、各光変調装置４７２を通過した色光が入射される３つの入射面と、当該色光を合成して形成される画像光が出射される出射面とを有する。この出射面は、投射光学装置４８と対向している。
このような色合成装置４７７において各入射面には、上記取付部材ＨＭが取り付けられる保持部材がそれぞれ設けられている。色合成装置４７７と、光変調装置４７２及び冷却部４７６とは、この保持部材によって一体化される。以下、これら光変調装置４７２及び冷却部４７６と色合成装置４７７とが一体化された構成を、画像形成ユニットＦＵと呼称する場合がある。
【００５３】
［投射光学装置の構成］
投射光学装置４８は、開口部２３１（図１参照）から一部が露出するように配置され、色合成装置４７７から入射される画像光を上記被投射面上に拡大投射する。このような投射光学装置４８は、鏡筒内に複数のレンズが配置された組レンズとして構成できる。
【００５４】
［冷却装置の構成］
図５は、冷却装置５の構成を示す模式図である。
冷却装置５は、プロジェクター１を構成する冷却対象を冷却する。この冷却装置５は、画像投射装置４を冷却する構成として、図５に示すように、第１循環流路５１、第２循環流路５２、第３循環流路５３及び第４循環流路５４を備える。これら循環流路５１〜５４は、気体冷媒又は液体冷媒を循環させ、これらによって冷却対象を冷却する。
以下、各循環流路５１〜５４について説明する。
【００５５】
［第１循環流路の構成］
第１循環流路５１は、第１密閉筐体５１１内の気体である第１冷媒ＲＥ１が循環する流路であり、当該第１冷媒ＲＥ１によって第１冷却対象を冷却する。この第１循環流路５１は、第１密閉筐体５１１と、循環ファン５１２及び送風ファン５１３〜５１５と、第１熱交換器５２１と、を備えて構成される。
なお、第１冷媒ＲＥ１は、気体であればよく、空気以外の気体（窒素ガスやヘリウムガス等）であってもよい。
【００５６】
第１密閉筐体５１１は、上記のように光学部品用筐体４６と他の筐体とが組み合わされて構成され、内部に上記第１空間Ｓ１を形成する。この第１密閉筐体５１１内には、冷却対象である偏光変換素子４３３及び電気光学装置４７と、循環ファン５１２、送風ファン５１３〜５１５及び第１熱交換器５２１と、が配置される。
第１熱交換器５２１は、第１循環流路５１及び後述する第２循環流路５２を構成する。この第１熱交換器５２１は、内部を流通する第２冷媒ＲＥ２に第１冷媒ＲＥ１の熱を伝達することによって、当該第１冷媒ＲＥ１を冷却する。
循環ファン５１２は、第１熱交換器５２１にて冷却された第１冷媒ＲＥ１を第１密閉筐体５１１内にて循環させるファンである。
【００５７】
送風ファン５１３，５１４は、本実施形態では、光変調装置４７２Ｒ，４７２Ｇ，４７２Ｂ毎にそれぞれ設けられ、対応する光変調装置４７２に第１冷媒ＲＥ１を流通させる。詳述すると、送風ファン５１３は、対応する光変調装置４７２の入射側偏光板４７３及び液晶パネル４７４（冷却部４７６）に第１冷媒ＲＥ１を送出し、送風ファン５１４は、対応する光変調装置４７２の液晶パネル４７４（冷却部４７６）及び出射側偏光板４７５に第１冷媒ＲＥ１を送出する。なお、送風ファン５１３，５１４は、それぞれ１つずつ設けられ、送風ファン５１３から送出された第１冷媒ＲＥ１を分流して、各光変調装置４７２に流通させてもよく、送風ファン５１４から送出された第１冷媒ＲＥ１を分流して、各光変調装置４７２に流通させてもよい。
送風ファン５１５は、第１冷媒ＲＥ１を偏光変換素子４３３に流通させる。
【００５８】
このような第１循環流路５１では、偏光変換素子４３３及び各光変調装置４７２を冷却した第１冷媒ＲＥ１は、循環ファン５１２によって吸引されて第１熱交換器５２１に流通する。そして、第１熱交換器５２１によって冷却された第１冷媒ＲＥ１は、再度、光変調装置４７２及び偏光変換素子４３３に流通する。このように、第１冷媒ＲＥ１は、第１密閉筐体５１１内を循環する。
【００５９】
［第２循環流路の構成］
第２循環流路５２は、液体冷媒である第２冷媒ＲＥ２（第２液体冷媒）が循環する流路であり、第１冷媒ＲＥ１を冷却するとともに、各光変調装置４７２の液晶パネル４７４を冷却する。この第２循環流路５２は、上記第１熱交換器５２１、タンク５２２、ポンプ５５及び第２熱交換器５６と、上記冷却部４７６（第２冷却部）と、これらを接続する複数の接続部材ＣＭと、を備えて構成されている。
なお、複数の接続部材ＣＭは、内部を第２冷媒ＲＥ２が流通可能に形成された管状部材である。複数の接続部材ＣＭは、第２接続部材に相当する。また、第２冷媒ＲＥ２としては、水やプロピレングリコール等の不凍液を例示できる。
【００６０】
第１熱交換器５２１は、上記のように、第１冷媒ＲＥ１を冷却する。
タンク５２２は、第２冷媒ＲＥ２を一時的に貯留する。このタンク５２２に貯留された第２冷媒ＲＥ２は、ポンプ５５によって吸引される。
【００６１】
ポンプ５５は、圧送部５５１及び流入室５５２，５５３を有する。
流入室５５２には、タンク５２２から第２冷媒ＲＥ２が流入される。この流入室５５２に流入された第２冷媒ＲＥ２は、圧送部５５１の駆動によって、第２熱交換器５６の受熱部５６１を介して第１熱交換器５２１に流通される。また、流入室５５３には、後述する第３循環流路５３を循環する第３冷媒ＲＥ３（第１液体冷媒）が流入される。当該流入室５５３に流入された第３冷媒ＲＥ３については、後に詳述する。
【００６２】
第２熱交換器５６は、ポンプ５５によって圧送された第２冷媒ＲＥ２が流通する受熱部５６１と、第３冷媒ＲＥ３が流通する放熱部５６２と、当該受熱部５６１によって受熱された第２冷媒ＲＥ２の熱を放熱部５６２に伝達する熱伝達部５６３と、を備える。この第２熱交換器５６によって、第３冷媒ＲＥ３に熱が伝達されて冷却された第２冷媒ＲＥ２は、上記第１熱交換器５２１に流通される。なお、本実施形態では、受熱部５６１から放熱部５６２への熱伝達効率を高めるために、熱伝達部５６３にはペルチェ素子が用いられている。しかしながら、これに限らず、このようなペルチェ素子は無くてもよい。
【００６３】
ここで、複数の接続部材ＣＭのうち、第２熱交換器５６にて冷却された第２冷媒ＲＥ２が流通する接続部材ＣＭ１は、第１熱交換器５２１に接続される配管ＣＭ１１と、冷却部４７６の上記一方のパイプに接続される配管ＣＭ１２と、これら配管ＣＭ１１，ＣＭ１２を接続し当該配管ＣＭ１１，ＣＭ１２に第２冷媒ＲＥ２を分配する分岐部ＣＭ１３と、を有する。このような接続部材ＣＭ１の構成により、当該接続部材ＣＭ１に流入された第２冷媒ＲＥ２のうち、一部は第１熱交換器５２１に流通され、他の一部は冷却部４７６に流通される。すなわち、各光変調装置４７２は、第１冷媒ＲＥ１だけでなく、第２冷媒ＲＥ２によっても冷却される。
【００６４】
また、複数の接続部材ＣＭのうち、タンク５２２に第２冷媒ＲＥ２を流通させる接続部材ＣＭ２は、第１熱交換器５２１に接続される配管ＣＭ２１と、冷却部４７６の上記他方のパイプに接続される配管ＣＭ２２と、これら配管ＣＭ２１，ＣＭ２２を接続する合流部ＣＭ２３と、を有する。このような接続部材ＣＭ２によって、第１熱交換器５２１を流通した第２冷媒ＲＥ２と、各光変調装置４７２に設けられた冷却部４７６を流通した第２冷媒ＲＥ２とは、合流部ＣＭ２３にて合流されて、タンク５２２に流通する。
【００６５】
なお、図５においては、配管ＣＭ１２及び配管ＣＭ２２に接続される１つの冷却部４７６が示されているが、本実施形態では、配管ＣＭ１２を介して流通する第２冷媒ＲＥ２は、各光変調装置４７２に設けられた冷却部４７６を順に流通する。このため、第２冷媒ＲＥ２の流通方向における最も上流側の冷却部４７６における上記一方のパイプは、配管ＣＭ１２に接続され、当該冷却部４７６における上記他方のパイプは、他の冷却部４７６における上記一方のパイプに接続される。そして、最も下流側に位置する冷却部４７６における上記他方のパイプは、上記配管ＣＭ２２に接続されている。
しかしながら、これに限らず、各冷却部４７６における上記一方のパイプのそれぞれを配管ＣＭ１２に接続し、上記他方のパイプのそれぞれを配管ＣＭ２２に接続する構成としてもよい。
【００６６】
このような第２循環流路５２では、タンク５２２に貯留された第２冷媒ＲＥ２は、ポンプ５５によって吸引されて、第２熱交換器５６に圧送される。この第２熱交換器５６の受熱部５６１を流通して冷却された第２冷媒ＲＥ２は、接続部材ＣＭ１によって、第１熱交換器５２１と各冷却部４７６とに流通する。これら第１熱交換器５２１及び各冷却部４７６の熱が伝達された第２冷媒ＲＥ２は、接続部材ＣＭ２を介してタンク５２２に流入され、当該タンク５２２にて再度貯留される。このように、第２冷媒ＲＥ２は、第１冷媒ＲＥ１の熱が伝達された第１熱交換器５２１と各光変調装置４７２とを冷却しつつ、第２循環流路５２を循環する。なお、上記のように、第２冷媒ＲＥ２の熱は、第２熱交換器５６にて第３冷媒ＲＥ３に伝達される。
【００６７】
［第４循環流路の構成］
ここで、第４循環流路５４について先に説明する。
第４循環流路５４は、第２密閉筐体５４１内の気体である第４冷媒ＲＥ４を循環させて、当該第２密閉筐体５４１内に位置する冷却対象を冷却する流路である。この第４循環流路５４は、第２密閉筐体５４１と、当該第２密閉筐体５４１内にそれぞれ配置される第３熱交換器５３３及び循環ファン５４２と、を備える。なお、第４冷媒ＲＥ４は、第１冷媒ＲＥ１と成分が同じでも異なっていてもよい。
【００６８】
第２密閉筐体５４１は、内部に略密閉された第２空間Ｓ２を形成する。この第２密閉筐体５４１内には、冷却対象であり、かつ、上記光源装置４１の一部の構成である光拡散装置４１７及び波長変換装置４１９が配置される。これにより、光拡散装置４１７及び波長変換装置４１９への塵埃の付着が抑制される。
【００６９】
第３熱交換器５３３は、第４循環流路５４及び後述する第３循環流路５３を構成する。この第３熱交換器５３３は、内部を流通する第３冷媒ＲＥ３に、第４冷媒ＲＥ４の熱を伝達して、当該第４冷媒ＲＥ４を冷却する。換言すると、第３熱交換器５３３は、第４冷媒ＲＥ４を介して伝達された、光拡散装置４１７に含まれる光拡散素子４１７１の熱及び波長変換装置４１９に含まれる波長変換素子４１９１の熱を、第３冷媒ＲＥ３に伝達させることによって、光拡散素子４１７１及び波長変換素子４１９１の各光学素子を冷却する。このような第３熱交換器５３３は、第３冷却部に相当する。また、第３熱交換器５３３と、光拡散素子４１７１及び波長変換素子４１９１とは、光学素子部に相当する。なお、本実施形態において光学素子部は、光拡散素子４１７１及び波長変換素子４１９１のうち少なくとも一方の光学素子と、第３熱交換器５３３と、を含んでいればよい。
【００７０】
循環ファン５４２は、第２密閉筐体５４１内にて第４冷媒ＲＥ４を循環させる。この循環ファン５４２は、第３熱交換器５３３にて冷却された第４冷媒ＲＥ４を光拡散装置４１７及び波長変換装置４１９に流通させ、これらを冷却する。本実施形態において、第３熱交換器５３３及び循環ファン５４２は、冷却装置５を構成するとともに、光源装置４１に含まれる構成である。
なお、図５においては、第４冷媒ＲＥ４は、光拡散装置４１７を流通した後、波長変換装置４１９に流通するように図示されている。しかしながら、第４冷媒ＲＥ４の流通順は逆でもよく、第４冷媒ＲＥ４の流路は、２つに分流された第４冷媒ＲＥ４が光拡散装置４１７及び波長変換装置４１９のそれぞれに流通する流路としてもよい。
【００７１】
［第３循環流路の構成］
第３循環流路５３は、液体冷媒である第３冷媒ＲＥ３（第１液体冷媒）を循環させて、第２冷媒ＲＥ２及び第４冷媒ＲＥ４を冷却し、また、光源装置４１の光源部４１０を冷却する流路である。この第３循環流路５３は、タンク５３１、ポンプ５５、図１でも示した第１ラジエータ５３２、第３熱交換器５３３、２つの光源冷却部４１０４、図１でも示した第２ラジエータ５３４及び第２熱交換器５６と、これらを接続する複数の接続部材ＣＮと、を備えて構成されている。
これらのうち、複数の接続部材ＣＮは、内部を第３冷媒ＲＥ３が流通可能な管状部材である。複数の接続部材ＣＮは、第１接続部材に相当する。なお、第３冷媒ＲＥ３の成分は、第２冷媒ＲＥ２の成分は同じであってもよく、異なっていてもよい。
【００７２】
タンク５３１は、上記第２熱交換器５６の放熱部５６２と接続され、第３冷媒ＲＥ３を一時的に貯留する。
ポンプ５５は、上記圧送部５５１によって、タンク５３１から流入室５５３に流入された第３冷媒ＲＥ３を第１ラジエータ５３２に圧送する。
第１ラジエータ５３２は、第３冷媒ＲＥ３の流路において第３熱交換器５３３に対して直近の上流に位置し、当該第３熱交換器５３３に流通する第３冷媒ＲＥ３を冷却する。すなわち、第１ラジエータ５３２は、第３冷媒ＲＥ３の流路において光学素子部に対する上流に位置し、当該光学素子部に流通する前の第３冷媒ＲＥ３の熱を放出して、第３冷媒ＲＥ３を冷却する。具体的に、第１ラジエータ５３２は、ポンプ５５から圧送されて内部を流通する第３冷媒ＲＥ３から受熱した熱を、当該第１ラジエータ５３２に流通する冷却気体に伝達し、これにより、第３冷媒ＲＥ３を冷却する。第１ラジエータ５３２は、本発明のラジエータに相当する。また、第１ラジエータ５３２は、放熱器に相当する。なお、第１ラジエータ５３２の配置、及び、当該第１ラジエータ５３２に冷却気体を流通させる冷却ファンＦＮ４（図１参照）については、後に詳述する。
第３熱交換器５３３は、上記のように第４冷媒ＲＥ４の熱を、第１ラジエータ５３２から流通する第３冷媒ＲＥ３に伝達して、当該第４冷媒ＲＥ４を冷却する。この第３熱交換器５３３を流通した第３冷媒ＲＥ３は、２つの光源冷却部４１０４に流通する。
【００７３】
光源冷却部４１０４は、上記のように、第１光源４１０１及び第２光源４１０２（図２参照）のそれぞれに設けられており、第３熱交換器５３３を流通した第３冷媒ＲＥ３は、分流されて、各光源冷却部４１０４に流通する。
これら光源冷却部４１０４の内部には、第３冷媒ＲＥ３が流通可能な微細流路が複数形成されており、固体光源アレイＳＡ（図３参照）から伝達された各固体光源ＳＳの熱を第３冷媒ＲＥ３に伝達して、当該各固体光源ＳＳを冷却する。これら光源冷却部４１０４を流通した第３冷媒ＲＥ３は、合流されて第２ラジエータ５３４に流通する。
なお、第３冷媒ＲＥ３は、分流されずに、一方の光源冷却部４１０４に先に供給され、他方の光源冷却部４１０４に後に供給されてもよい。
【００７４】
第２ラジエータ５３４は、当該第２ラジエータ５３４に流通される冷却気体に、内部を流通する第３冷媒ＲＥ３の熱を伝達及び放出して、当該第３冷媒ＲＥ３を冷却する。この第２ラジエータ５３４によって冷却された第３冷媒ＲＥ３は、上記第２熱交換器５６の放熱部５６２に流通される。第２ラジエータ５３４は、放熱器に相当する。すなわち、放熱器は、第１ラジエータ５３２及び第２ラジエータ５３４を含む。なお、本実施形態において放熱器は、第１ラジエータ５３２及び第２ラジエータ５３４のうち少なくとも一方の放熱器を含んでいればよい。第２ラジエータ５３４の配置、及び、当該第２ラジエータ５３４に冷却気体を流通させる冷却ファンＦＮ５（図１参照）については、後に詳述する。
【００７５】
このような第３循環流路５３では、タンク５３１に貯留された第３冷媒ＲＥ３は、ポンプ５５によって圧送され、第１ラジエータ５３２を介して、第２密閉筐体５４１内の第３熱交換器５３３に供給される。この第３熱交換器５３３によって、第２密閉筐体５４１内の第４冷媒ＲＥ４が冷却され、当該第３熱交換器５３３を流通した第３冷媒ＲＥ３は、各光源冷却部４１０４を流通して、第１光源４１０１及び第２光源４１０２を冷却する。これら光源４１０１，４１０２を冷却した第３冷媒ＲＥ３は、第２ラジエータ５３４にて冷却された後、第２熱交換器５６の放熱部５６２に流通する。この放熱部５６２にて第２冷媒ＲＥ２の熱が伝達された第３冷媒ＲＥ３は、タンク５３１に再度貯留される。このように、第３冷媒ＲＥ３は、第３循環流路５３を循環する。
【００７６】
［機能による区分］
画像投射装置４及び冷却装置５の構成は、機能によって、光源ユニットＵＮ１、光学ユニットＵＮ２及び冷却ユニットＵＮ３に区分される。
光源ユニットＵＮ１は、光源装置４１であり、光源４１０１，４１０２と、これら光源４１０１，４１０２を第３冷媒ＲＥ３（第１液体冷媒）によって冷却する光源冷却部４１０４（第１冷却部）とを有する光源部４１０を含む。また、光源ユニットＵＮ１は、光拡散素子４１７１及び波長変換素子４１９１の各光学素子と、第２密閉筐体５４１内を循環する第４冷媒ＲＥ４を介して第３冷媒ＲＥ３（第１液体冷媒）によってこれら光拡散素子４１７１及び波長変換素子４１９１を冷却する第３熱交換器５３３（第３冷却部）とを有する光学素子部を含む。
光学ユニットＵＮ２は、画像形成装置４２であり、当該光学ユニットＵＮ２には、各光変調装置４７２と、当該各光変調装置４７２を第２冷媒ＲＥ２（第２液体冷媒）によって冷却する冷却部４７６（第２冷却部）とを有する画像形成ユニットＦＵが含まれる。
【００７７】
冷却ユニットＵＮ３は、上記冷却装置５の構成部品のうち、光源ユニットＵＮ１を流通する第３冷媒ＲＥ３の冷却、及び、光学ユニットＵＮ２を流通する第２冷媒ＲＥ２の冷却に関係する構成部品によって構成される。すなわち、冷却ユニットＵＮ３は、第３冷媒ＲＥ３（第１液体冷媒）及び第２冷媒ＲＥ２（第２液体冷媒）を冷却する。具体的に、冷却ユニットＵＮ３は、第３冷媒ＲＥ３の熱を放出する第１ラジエータ５３２（放熱器、ラジエータ）及び第２ラジエータ５３４（放熱器）を少なくとも有し、第２循環流路５２の一部と、第３循環流路５３の一部とから構成されている。
そして、光源ユニットＵＮ１と冷却ユニットＵＮ３とは、接続部材ＣＮ（第１接続部材）によって接続されている。また、光学ユニットＵＮ２と冷却ユニットＵＮ３とは、接続部材ＣＭ（第２接続部材）によって接続されている。
【００７８】
光源ユニットＵＮ１、光学ユニットＵＮ２及び冷却ユニットＵＮ３は、１つの冷却システムを構成する。具体的には、光源ユニットＵＮ１及び光学ユニットＵＮ２で生じる熱は、共通の１つの冷却ユニットＵＮ３により放出される。この構成によれば、冷却システム全体を小型化できるとともに、製造コストを低減することができる。なお、光源ユニットＵＮ１、光学ユニットＵＮ２及び冷却ユニットＵＮ３は、上述の通り、外装筐体２の内部に収容される。
【００７９】
そして、これら光源ユニットＵＮ１、光学ユニットＵＮ２及び冷却ユニットＵＮ３は、接続部材ＣＭに設けられた連結部６（６１，６２）及び接続部材ＣＮに設けられた連結部６（６３，６４）にて、互いに分離可能である。換言すると、図５に示すように、光源ユニットＵＮ１及び冷却ユニットＵＮ３は、連結部６（６１，６２）にて互いに着脱可能に構成され、光学ユニットＵＮ２及び冷却ユニットＵＮ３は、連結部６（６３，６４）にて互いに着脱可能に構成されている。なお、本実施形態において、連結部６によって互いに着脱可能に構成される２つのユニットは、光源ユニットＵＮ１及び冷却ユニットＵＮ３と、光学ユニットＵＮ２及び冷却ユニットＵＮ３とのうち少なくとも一方であればよい。
【００８０】
具体的に、連結部６１，６２は、接続部材ＣＭに設けられ、光学ユニットＵＮ２と冷却ユニットＵＮ３とを着脱可能に連結する連結部である。これらのうち、連結部６１は、接続部材ＣＭ１の配管ＣＭ１２に設けられている。連結部６２は、接続部材ＣＭ２の配管ＣＭ２２に設けられている。詳述すると、連結部６１は、配管ＣＭ１２において、第１密閉筐体５１１の外部に位置する部位に設けられている。また、連結部６２は、配管ＣＭ２２において、第１密閉筐体５１１の外部に位置する部位に設けられている。
【００８１】
図６は、連結部６１，６２の構成を示す模式図である。
これら連結部６１，６２は、図６に示すように、雄カプラーＣＰ１と、当該雄カプラーＣＰ１に対して着脱可能に設けられる雌カプラーＣＰ２とを有するカプラーＣＰによってそれぞれ構成されている。雄カプラーＣＰ１の形状と雌カプラーＣＰ２の形状とは互いに異なる。これら雄カプラーＣＰ１及び雌カプラーＣＰ２は、それぞれ第１連結部及び第２連結部に相当する。
【００８２】
本実施形態では、雄カプラーＣＰ１は、連結部６１，６２を流通する第２冷媒ＲＥ２の流通方向における上流側に位置している。一方、雌カプラーＣＰ２は、当該流通方向における下流側に位置する。
連結部６１における雄カプラーＣＰ１は、冷却ユニットＵＮ３に接続される。具体的には、連結部６１の雄カプラーＣＰ１は、分岐部ＣＭ１３を介して、第１熱交換器５２１及び第２熱交換器５６に接続される。
連結部６１における雌カプラーＣＰ２は、光学ユニットＵＮ２に接続される。具体的には、連結部６１の雌カプラーＣＰ２は、光変調装置４７２Ｒ，４７２Ｇ，４７２Ｂのうち、第２冷媒ＲＥ２の流通方向における最も上流側の光変調装置４７２に対応する冷却４７６に接続される。
また、連結部６２における雄カプラーＣＰ１は、光学ユニットＵＮ２に接続される。具体的には、連結部６２の雄カプラーＣＰ１は、光変調装置４７２Ｒ，４７２Ｇ，４７２Ｂのうち、第２冷媒ＲＥ２の流通方向における最も下流側の光変調装置４７２に対応する冷却４７６に接続される。
連結部６２における雌カプラーＣＰ２は、冷却ユニットＵＮ３に接続される。具体的には、連結部６２の雄カプラーＣＰ１は、合流部ＣＭ２３を介して、第１熱交換器５２１及びタンク５２２に接続される。
【００８３】
すなわち、接続部材ＣＭ（第２接続部材）は、接続部材ＣＭによって接続される光学ユニットＵＮ２及び冷却ユニットＵＮ３のうち光学ユニットＵＮ２に接続される雄カプラーＣＰ１（第１連結部）と、光学ユニットＵＮ２及び冷却ユニットＵＮ３のうち冷却ユニットＵＮ３に接続され、雄カプラーＣＰ１に対して着脱可能な雌カプラーＣＰ２（第２連結部）と、を有する。さらに、接続部材ＣＭは、連結部６１及び連結部６２、すなわち、雄カプラーＣＰ１及び雌カプラーＣＰ２の組を複数有する。
【００８４】
これら雄カプラーＣＰ１と雌カプラーＣＰ２とは、形状が互いに異なっており、雄カプラーＣＰ１の一部が雌カプラーＣＰ２に挿入されることにより、これらは連結される。しかしながら、雄カプラーＣＰ１同士、及び、雌カプラーＣＰ２同士は、連結できない。
【００８５】
これら連結部６１，６２のそれぞれにおいて、雄カプラーＣＰ１と雌カプラーＣＰ２とを分離させることによって、上記光学ユニットＵＮ２（光変調装置４７２を含む画像形成ユニットＦＵ）を冷却ユニットＵＮ３から分離させることができ、プロジェクター１から取り外すことができる。このため、光学ユニットＵＮ２に交換や修理の必要が生じた場合には、これら連結部６１，６２にて当該光学ユニットＵＮ２を冷却ユニットＵＮ３から分離させることによって、当該光学ユニットＵＮ２を取り外すことが可能となる。
特に、光源ユニットＵＮ１、光学ユニットＵＮ２及び冷却ユニットＵＮ３を１つの冷却システムとした本実施形態に係る構成において、光学ユニットＵＮ２を構成するいずれかの部品を交換又は修理する必要がある場合に、冷却システム全体をプロジェクター１から取り外す必要がないことから、プロジェクター１のメンテナンス性をより向上させることができる。
【００８６】
なお、カプラーＣＰは、弁付きカプラーであり、雄カプラーＣＰ１及び雌カプラーＣＰ２が連結された状態では、カプラーＣＰ内の流路が開放され、当該カプラーＣＰを冷媒（第２冷媒ＲＥ２）が流通可能となる。一方、雄カプラーＣＰ１と雌カプラーＣＰ２とが分離された状態では、カプラーＣＰ内の流路が閉塞され、当該カプラーＣＰを冷媒が流通できない。このため、光学ユニットＵＮ２と冷却ユニットＵＮ３とを分離させた際に、連結部６１，６２から第２冷媒ＲＥ２が漏出することが抑制される。
【００８７】
また、図５に示すように、連結部６３，６４は、接続部材ＣＮに設けられ、光源ユニットＵＮ１と冷却ユニットＵＮ３とを着脱可能に連結する。これらのうち、連結部６３は、第１ラジエータ５３２から第３熱交換器５３３に第３冷媒ＲＥ３を導く接続部材ＣＮにおいて、第２密閉筐体５４１の外部に位置する部位に設けられている。また、連結部６４は、各光源冷却部４１０４から第２ラジエータ５３４に第３冷媒ＲＥ３を導く接続部材ＣＮにおいて、これら光源冷却部４１０４を流通した第３冷媒ＲＥ３が合流する部位から第２ラジエータ５３４までの間に設けられている。
【００８８】
本実施形態では、これら連結部６３，６４も、図示を省略するが、上記連結部６１，６２と同様に、流通する第３冷媒ＲＥ３の流通方向における上流側に位置する雄カプラーＣＰ１と、当該流通方向における下流側に位置し、当該雄カプラーＣＰ１に対して着脱可能な雌カプラーＣＰ２とを有するカプラーＣＰによってそれぞれ構成されている。
連結部６３における雄カプラーＣＰ１は、冷却ユニットＵＮ３に接続される。具体的には、連結部６３の雄カプラーＣＰ１は、第１ラジエータ５３２に接続される。
連結部６３における雌カプラーＣＰ２は、光源ユニットＵＮ１に接続される。具体的には、連結部６３の雌カプラーＣＰ２は、第３熱交換器５３３に接続される。
また、連結部６４における雄カプラーＣＰ１は、光源ユニットＵＮ１に接続される。具体的には、連結部６４の雄カプラーＣＰ１は、２つの光源冷却部４１０４に接続される。
連結部６４における雌カプラーＣＰ２は、冷却ユニットＵＮ３に接続される。具体的には、連結部６４の雄カプラーＣＰ１は、第２ラジエータ５３４に接続される。
【００８９】
すなわち、接続部材ＣＮ（第１接続部材）は、接続部材ＣＮによって接続される光源ユニットＵＮ１及び冷却ユニットＵＮ３のうち光源ユニットＵＮ１に接続される雄カプラーＣＰ１（第１連結部）と、光源ユニットＵＮ１及び冷却ユニットＵＮ３のうち冷却ユニットＵＮ３に接続され、雄カプラーＣＰ１に対して着脱可能な雌カプラーＣＰ２（第２連結部）と、を有する。更に、接続部材ＣＮは、連結部６３及び連結部６４、すなわち、雄カプラーＣＰ１及び雌カプラーＣＰ２の組を複数有する。
【００９０】
そして、連結部６３，６４のそれぞれにおいて、雄カプラーＣＰ１と雌カプラーＣＰ２とを分離させることによって、上記光源ユニットＵＮ１（光源装置４１）を冷却ユニットＵＮ３から分離させることができ、プロジェクター１から取り外すことができる。このため、上記と同様に、光源ユニットＵＮ１に交換や修理の必要が生じた場合には、これら連結部６３，６４にて当該光源ユニットＵＮ１を冷却ユニットＵＮ３から分離させることによって、当該光源ユニットＵＮ１を取り外すことが可能となる。上記の通り、光源ユニットＵＮ１、光学ユニットＵＮ２及び冷却ユニットＵＮ３を１つの冷却システムとした本実施形態に係る構成において、光源ユニットＵＮ１を構成するいずれかの部品を交換又は修理する必要がある場合に、冷却システム全体をプロジェクター１から取り外す必要がないことから、プロジェクター１のメンテナンス性をより向上させることができる。
【００９１】
なお、連結部６１〜６４のそれぞれにおいて、雄カプラーＣＰ１と雌カプラーＣＰ２とを分離させれば、冷却ユニットＵＮ３を、光源ユニットＵＮ１及び光学ユニットＵＮ２から分離させることができる。従って、この場合には、冷却ユニットＵＮ３をプロジェクター１から取り外すことができる。同様に、冷却ユニットＵＮ３を構成するいずれかの部品を交換又は修理する必要がある場合に、冷却システム全体をプロジェクター１から取り外す必要がないことから、プロジェクター１のメンテナンス性をより向上させることができる。
【００９２】
本実施形態では、上記の通り、接続部材ＣＭ及び接続部材ＣＮのうち少なくとも一方が、雄カプラーＣＰ１と、雄カプラーＣＰ１に対して着脱可能な雌カプラーＣＰ２とを含む連結部を有していればよい。
また、本実施形態では、光源ユニットＵＮ１は、少なくとも、光源４１０１，４１０２と光源冷却部４１０４とを有する光源部４１０を含んでいればよい。すなわち、光源ユニットＵＮ１が光学素子部を含まない場合、接続部材ＣＮは、冷却ユニットＵＮ３を構成する第１ラジエータ５３２と、光源ユニットＵＮ１を構成する光源部４１０とを接続してもよく、また、連結部６３は、接続部材ＣＮにおいて第１ラジエータ５３２と光源部４１０との間に設けられてもよい。
【００９３】
［冷却装置の各構成の配置］
上記のように、第１熱交換器５２１は、第１密閉筐体５１１内に配置される。第３熱交換器５３３は、第２密閉筐体５４１内に配置される。また、タンク５２２、ポンプ５５及び第２熱交換器５６は、図１に示すように、外装筐体２の略中央で、画像形成装置４２近傍に配置される。すなわち、冷却装置５の構成部品として上記した構成のうち、第３循環流路５３を構成するタンク５３１、第１ラジエータ５３２及び第２ラジエータ５３４以外の構成は、外装筐体２内の空間において上記第２領域Ａ２に配置される。
一方、タンク５３１と、それぞれ放熱器としての第１ラジエータ５３２及び第２ラジエータ５３４は、上記隔壁２７によって第２領域Ａ２から熱的に隔離された上記第１領域Ａ１内に配置される。すなわち、隔壁２７は、第１ラジエータ５３２及び第２ラジエータ５３４が配置される第１領域Ａ１と、第１光源４１０１及び第２光源４１０２、並びに、各光変調装置４７２が配置される第２領域Ａ２とを区画している。そして、第１ラジエータ５３２及び第２ラジエータ５３４は、第１光源４１０１及び第２光源４１０２、並びに、光変調装置４７２に対して熱的に隔離されている。詳述すると、タンク５３１は、導入口２６１近傍の位置に配置される。また、第１ラジエータ５３２及び第２ラジエータ５３４は、背面部２４に沿って配置される。このため、第１ラジエータ５３２及び第２ラジエータ５３４によって周辺気体に放出された熱が、第２領域Ａ２内の部品に影響を及ぼすことが抑制される。
【００９４】
［ファンの配置］
冷却装置５は、上記構成の他、図１に示すように、外装筐体２内にそれぞれ設けられる吸気ファンＦＮ１，ＦＮ２、排気ファンＦＮ３及び冷却ファンＦＮ４，ＦＮ５を備える。
吸気ファンＦＮ１，ＦＮ２及び排気ファンＦＮ３は、上記第２領域Ａ２内に配置される。詳述すると、吸気ファンＦＮ１，ＦＮ２は、それぞれ、外装筐体２の正面部２３に設けられた導入口２３２，２３３に応じて設けられ、当該導入口２３２，２３３を介して上記冷却気体を内部に導入する。
吸気ファンＦＮ１によって導入された冷却気体は、図１における矢印ＡＲ１にて示すように、当該ファンＦＮ１から−Ｚ方向に電源装置９に沿って流通する。
吸気ファンＦＮ２によって導入された冷却気体は、矢印ＡＲ２にて示すように、当該ファンＦＮ２から−Ｚ方向に光源装置４１に沿って流通した後、＋Ｘ方向側にタンク５２２、ポンプ５５及び第２熱交換器５６に沿って流通する。この後、当該冷却気体は、電源装置９に沿って流通した冷却気体とともに、外装筐体２の背面部２４に設けられた排出口２４１に応じて設けられた排気ファンＦＮ３によって吸引され、矢印ＡＲ３にて示すように、当該排出口２４１から外装筐体２外に排出される。
このように流通する冷却気体によって、領域Ａ２内の構成部品が冷却される。
【００９５】
冷却ファンＦＮ４，ＦＮ５は、上記第１領域Ａ１内に配置される。詳述すると、冷却ファンＦＮ４は、背面部２４に設けられた排出口２４２と第１ラジエータ５３２との間に配置される。冷却ファンＦＮ５は、排出口２４２と第２ラジエータ５３４との間に配置される。
これら冷却ファンＦＮ４，ＦＮ５が駆動されると、外装筐体２の左側面部２６に設けられた導入口２６１を介して、外装筐体２外の気体が冷却気体として第１領域Ａ１内に導入される。すなわち、導入口２６１は、冷却ファンＦＮ４，ＦＮ５の駆動によって、第１領域Ａ１内に外装筐体２の外部の気体を冷却気体として導入する。この冷却気体は、タンク５３１及び当該タンク５３１内の第３冷媒ＲＥ３を冷却する。
また、冷却ファンＦＮ４，ＦＮ５は、第１領域Ａ１内に導入された冷却気体を吸引する過程にて、当該冷却気体を第１ラジエータ５３２及び第２ラジエータ５３４に流通させ、これらラジエータ５３２，５３４を冷却する。換言すると、これらラジエータ５３２，５３４によって、第３冷媒ＲＥ３の熱が、流通する冷却気体に伝達されて、第３冷媒ＲＥ３が冷却される。
そして、ラジエータ５３２，５３４を流通した冷却気体は、冷却ファンＦＮ４，ＦＮ５によって、上記排出口２４２から外装筐体２外に排出される。すなわち、排出口２４２は、冷却ファンＦＮ４，ＦＮ５の駆動によって、第１ラジエータ５３２及び第２ラジエータ５３４に流通した冷却気体を外装筐体２の外部に排出する。
【００９６】
ここで、上記のように、導入口２３２，２３３には、エアフィルターが設けられているものの、導入口２６１には、エアフィルターは設けられていない。
これは、第２領域Ａ２内には、塵埃の付着による影響が大きい部品が多く配置されているのに対し、第１領域Ａ１内には、当該影響が比較的小さい部品が配置されている。一方、エアフィルターが導入口に設けられていると、気体導入時の圧力損失が大きくなり、導入される冷却気体の流量が低下する。これらのことから、当該圧力損失を低減し、第１領域Ａ１内に冷却気体を導入させやすくして、ラジエータ５３２，５３４の冷却効率を向上させるために、本実施形態では、導入口２６１にエアフィルターは設けられていない。
しかしながら、これに限らず、例えばラジエータ５３２，５３４の冷却を充分に行える場合等においては、導入口２６１にエアフィルターを設けてもよい。
【００９７】
［第１実施形態の効果］
以上説明した本実施形態に係るプロジェクター１は、以下の効果がある。
画像投射装置４及び冷却装置５のうち、第３冷媒ＲＥ３（第１液体冷媒）によって光源４１０１，４１０２を冷却する光源ユニットＵＮ１、及び、第２冷媒ＲＥ２及び第３冷媒ＲＥ３を冷却する冷却ユニットＵＮ３と、第２冷媒ＲＥ２（第２液体冷媒）によって光変調装置４７２を冷却する光学ユニットＵＮ２及び冷却ユニットＵＮ３とは、互いに着脱可能に構成されている。すなわち、光源ユニットＵＮ１及び冷却ユニットＵＮ３と、光学ユニットＵＮ２及び冷却ユニットＵＮ３とは、それぞれ互いに着脱可能に構成されている。これによれば、これらユニットＵＮ１〜ＵＮ３のうち、取り外す必要が生じた対象ユニットを、接続されている他のユニットから容易に取り外すことができる。従って、画像投射装置４全体及び冷却装置５全体を取り外す必要がある構成に比べて、当該対象ユニットを容易に交換できるので、プロジェクター１のメンテナンス性を向上させることができる。
【００９８】
接続部材ＣＭ（第２接続部材）及び接続部材ＣＮ（第１接続部材）のそれぞれには、連結部６が複数設けられ、当該連結部６（６１〜６４）は、接続対象の２つのユニットのうち、一方に接続される雄カプラーＣＰ１と、他方に接続される雌カプラーＣＰ２とを有するカプラーＣＰによって構成される。これによれば、連結部６１，６２にて、各カプラーＣＰを分離させることによって、光学ユニットＵＮ２と冷却ユニットＵＮ３とを分離でき、また、連結部６３，６４にて、各カプラーＣＰを分離させることによって、光源ユニットＵＮ１と冷却ユニットＵＮ３とを分離できる。従って、上記ユニットＵＮ１〜ＵＮ３の少なくともいずれかを、接続されている他のユニットから確実に取り外すことができる。
【００９９】
上記のように、カプラーＣＰによって構成された連結部６は複数設けられる。このカプラーＣＰを構成する雄カプラーＣＰ１と雌カプラーＣＰ２とは、形状が異なり、雄カプラーＣＰ１同士は連結できず、雌カプラーＣＰ２同士も連結できない。これによれば、交換対象又は修理対象のユニットを取り外して、新しいユニット又は取り外したユニットを取り付ける際に、取り付けるユニットが反対向きに取り付けられることを抑制できる。従って、ユニットの誤組を抑制できる。
【０１００】
冷却ユニットＵＮ３は、第３冷媒ＲＥ３の流路において第３熱交換器５３３に対する上流に位置し、当該第３熱交換器５３３に流通する第３冷媒ＲＥ３の熱を放出して、当該第３冷媒ＲＥ３を冷却する第１ラジエータ５３２を有する。これによれば、第１ラジエータ５３２によって冷却された第３冷媒ＲＥ３を、第３熱交換器５３３に直接流通させることができる。従って、第３熱交換器５３３を効果的に冷却でき、ひいては、第２密閉筐体５４１内に配置された光拡散装置４１７及び波長変換装置４１９を効果的に冷却できる。
【０１０１】
冷却ユニットＵＮ３は、第３冷媒ＲＥ３の熱を放出する第１ラジエータ５３２及び第２ラジエータ５３４を放熱器として有し、これらラジエータ５３２，５３４は、光源４１０１，４１０２を有する光源装置４１、及び、光変調装置４７２を有する画像形成装置４２に対して熱的に隔離されている。
ここで、ＬＤにより構成される固体光源ＳＳを有する光源４１０１，４１０２や、液晶パネル４７４及び偏光板４７３，４７５を有する光変調装置４７２は、温度が高くなると、劣化が進行しやすい。また、ＬＤは、温度が高くなると出射光量が低下する。
これに対し、各ラジエータ５３２，５３４が熱的に隔離されることによって、当該各ラジエータ５３２，５３４にて放出される熱が、これら光源４１０１，４１０２及び光変調装置４７２に伝達されることを抑制できる。従って、これらの温度上昇及び劣化を抑制できる他、画像光の輝度低下を抑制できる。
【０１０２】
装置本体３を収容する外装筐体２は、第１ラジエータ５３２及び第２ラジエータ５３４が配置される第１領域Ａ１と、光源装置４１（光源４１０１，４１０２）及び画像形成装置４２（光変調装置４７２）が配置される第２領域Ａ２とを区画して、当該第２領域Ａ２に対して第１領域Ａ１を熱的に隔離する隔壁２７を内部に有する。これによれば、第２領域Ａ２にそれぞれ配置される光源４１０１，４１０２及び光変調装置４７２に、第１領域Ａ１に配置される各ラジエータ５３２，５３４によって放出される熱が影響を及ぼすことを確実に抑制できる。従って、光源４１０１，４１０２及び光変調装置４７２の温度上昇を確実に抑制できる。
【０１０３】
第１領域Ａ１内には、ラジエータ５３２，５３４に冷却気体を流通させる冷却ファンＦＮ４，ＦＮ５が設けられ、外装筐体２は、第１領域Ａ１内に外装筐体２の外部の気体を冷却気体として導入する導入口２６１と、各ラジエータ５３２，５３４に流通した冷却気体を外装筐体２の外部に排出する排出口２４２と、を有する。これによれば、第１領域Ａ１内に配置された各ラジエータ５３２，５３４に、外装筐体２外の温度が低い気体を冷却気体として流通させることができる。そして、各ラジエータ５３２，５３４を流通して温度が高くなった冷却気体は、排出口２４２から排出されるので、当該第１領域Ａ１内の温度を低く保つことができる。従って、ラジエータ５３２，５３４による放熱効率を向上させることができ、当該ラジエータ５３２，５３４によって第３冷媒ＲＥ３を効果的に冷却できるので、当該第３冷媒ＲＥ３によって冷却される光源４１０１，４１０２及び第２冷媒ＲＥ２の温度上昇を一層抑制できる。
【０１０４】
［第２実施形態］
次に、本発明の第２実施形態について説明する。
本実施形態に係るプロジェクターは、上記第１実施形態にて示したプロジェクター１と同様の構成を有するが、光源部４１０と光学素子部とを接続し、かつ、連結部６５を有する接続部材ＣＮＡが設けられている点で、当該プロジェクター１と相違する。なお、以下の説明では、既に説明した部分と同一又は略同一である部分については、同一の符号を付して説明を省略する。
【０１０５】
図７は、本実施形態に係るプロジェクターが備える冷却装置５の構成を示す模式図である。
本実施形態に係るプロジェクターは、図７に示すように、冷却装置５に代えて冷却装置５Ａを有する他は、上記プロジェクター１と同様の構成及び機能を有する。
【０１０６】
冷却装置５Ａは、第３熱交換器５３３と光源冷却部４１０４とを接続する接続部材として上記接続部材ＣＮＡを有する他は、上記第１実施形態にて示した冷却装置５と同様の構成を有する。この接続部材ＣＮＡには、連結部６（６５）が設けられている。すなわち、冷却装置５Ａは、上記第１実施形態にて示した連結部６（６１〜６４）に加えて、接続部材ＣＮＡに設けられた１つの連結部６（６５）を更に有する。なお、接続部材ＣＮＡは、第３熱交換器５３３と光源冷却部４１０４とを接続する。この接続部材ＣＮＡは、内部を第３冷媒ＲＥ３が流通可能な管状部材であり、第３接続部材に相当する。
【０１０７】
また、本実施形態に係るプロジェクターは、画像投射装置４及び冷却装置５Ａの一部を構成する光源ユニットＵＮ１Ａを、光源ユニットＵＮ１に代えて有する。この光源ユニットＵＮ１Ａは、光源部４１０及び光学素子部ＤＰと、上記接続部材ＣＮＡとを含む。
光源部４１０は、上記のように、光源４１０１，４１０２と、当該光源４１０１，４１０２を第３冷媒ＲＥ３（第１液体冷媒）によってそれぞれ冷却する２つの光源冷却部４１０４（第１冷却部）と、を有する。
光学素子部ＤＰは、光拡散素子４１７１及び波長変換素子４１９１の各光学素子と、第２密閉筐体５４１内を循環する第４冷媒ＲＥ４を介して第３冷媒ＲＥ３（第１液体冷媒）によってこれら光拡散素子４１７１及び波長変換素子４１９１を冷却する第３熱交換器５３３（第３冷却部）と、を有する。
【０１０８】
上記接続部材ＣＮＡに設けられた連結部６５は、光源ユニットＵＮ１Ａにおいて、光源部４１０と光学素子部ＤＰとを着脱可能に連結する連結部である。具体的に、連結部６５は、光学素子部ＤＰの第３熱交換器５３３から各光源冷却部４１０４に第３冷媒ＲＥ３を導く接続部材ＣＮＡにおいて、第３熱交換器５３３から、各光源冷却部４１０４へ流通するために第３冷媒ＲＥ３が分岐する部位までの間に設けられている。なお、連結部６５は、上記第１実施形態にて示したカプラーＣＰ（図６参照）によって構成されている。
【０１０９】
このような連結部６５及び上記連結部６３の各カプラーＣＰを分離させることによって、冷却ユニットＵＮ３から、光源ユニットＵＮ１Ａのうち光学素子部ＤＰを分離できる。また、連結部６５及び上記連結部６４の各カプラーＣＰを分離させることによって、冷却ユニットＵＮ３から、光源ユニットＵＮ１Ａのうち光源部４１０を分離できる。
従って、上記連結部６３，６４に加えて、連結部６５が設けられていることにより、光源装置４１の構成部品のうち、光源部４１０及び光学素子部ＤＰのそれぞれを個別に、プロジェクターから取り外すことができる。
【０１１０】
［第２実施形態の効果］
以上説明した本実施形態に係るプロジェクターは、上記プロジェクター１と同様の効果を奏することができる他、以下の効果を奏することができる。
光源ユニットＵＮ１Ａは、光源４１０１，４１０２及び光源冷却部４１０４（第１冷却部）を含む光源部４１０と、これら光源４１０１，４１０２から出射された光に作用する光学素子である波長変換素子４１９１及び光拡散素子４１７１、及び、第３熱交換器を含む光学素子部ＤＰと、これら光源冷却部４１０４及び第３熱交換器５３３を接続する接続部材ＣＮＡと、を有する。この接続部材ＣＮＡに、連結部６５が設けられていることによって、光源部４１０及び光学素子部は、互いに着脱可能である。
これによれば、光源ユニットＵＮ１Ａをプロジェクターから取り外すことができるだけでなく、光源部４１０及び光学素子部のそれぞれを個別にプロジェクターから取り外すことができる。従って、プロジェクターのメンテナンス性を一層向上させることができる。
【０１１１】
本実施形態における光学素子は、入射された光の波長を変換する波長変換素子４１９１、及び、入射された光を拡散させる光拡散素子４１７１のうち少なくとも一方である。これによれば、劣化等によって波長変換素子４１９１又は光拡散素子４１７１を交換する必要が生じた場合でも、これらのうちの少なくとも一方を取り外して交換できる。従って、プロジェクターのメンテナンス性を一層向上させることができる。
【０１１２】
［第３実施形態］
次に、本発明の第３実施形態について説明する。
本実施形態に係るプロジェクターは、上記第１実施形態にて示したプロジェクター１と同様の構成を有するが、第２冷媒ＲＥが流通する流路上で、上記連結部６（６１，６２）とは異なる位置に、他の連結部が設けられている点で、当該プロジェクター１と相違する。なお、以下の説明では、既に説明した部分と同一又は略同一である部分については、同一の符号を付して説明を省略する。
【０１１３】
図８は、本実施形態に係るプロジェクターが備える冷却装置５Ｂの構成を示す模式図である。
本実施形態に係るプロジェクターは、図８に示すように、冷却装置５に代えて冷却装置５Ｂを有する他は、上記プロジェクター１と同様の構成及び機能を有する。
【０１１４】
冷却装置５Ｂは、冷却装置５の構成と同様の構成を有するが、内部を第２冷媒ＲＥ２が流通可能な管状部材である接続部材ＣＭの一部に、連結部６（６６）が設けられた接続部材ＣＭＢと、連結部６（６７）が設けられた接続部材ＣＭＣが採用されている。すなわち、冷却装置５Ｂは、上記連結部６（６１〜６４）に加えて、２つの連結部６（６６，６７）を更に有する。これら連結部６６，６７は、上記第１実施形態にて示したカプラーＣＰ（図６参照）によって構成されている。
これらのうち、接続部材ＣＭＢは、第２熱交換器５６の受熱部５６１と分岐部ＣＭ１３とを接続する。すなわち、接続部材ＣＭＢは、第２熱交換器５６の受熱部５６１から延びる接続部材ＣＭ１において、分岐部ＣＭ１３に対して第２冷媒ＲＥ２の上流側部分を構成する。
また、接続部材ＣＭＣは、合流部ＣＭ２３とタンク５２２とを接続する。すなわち、接続部材ＣＭＣは、第１熱交換器５２１及び各光変調装置４７２の冷却部４７６とタンク５２２とを接続する接続部材ＣＭ２において、合流部ＣＭ２３に対して第２冷媒ＲＥ２の下流側部分を構成する。
【０１１５】
なお、本実施形態に係るプロジェクターは、冷却装置５Ｂの一部を構成する冷却ユニットＵＮ３Ｂを、冷却ユニットＵＮ３に代えて有する。この冷却ユニットＵＮ３Ｂは、当該冷却ユニットＵＮ３の構成に加えて、上記接続部材ＣＭＢ，ＣＭＣを含む。
【０１１６】
接続部材ＣＭＢに設けられた連結部６６は、分岐部ＣＭ１３に対する第２冷媒ＲＥ２の上流側に位置する。また、接続部材ＣＭＣに設けられた連結部６７は、合流部ＣＭ２３に対する第２冷媒ＲＥ２の下流側に位置する。そして、これら連結部６６，６７は、接続部材ＣＭＢ，ＣＭＣにおいて、第１密閉筐体５１１の外部に位置する部位に設けられている。なお、連結部６６，６７においても、第２冷媒ＲＥ２の上流側には、雄カプラーＣＰ１が設けられ、下流側には、雌カプラーＣＰ２が設けられている。
このような連結部６６，６７の各カプラーＣＰを分離させることによって、光学ユニットＵＮ２を冷却ユニットＵＮ３Ｂから取り外すことができる。この場合、第１密閉筐体５１１ごと冷却ユニットＵＮ３Ｂから分離できるので、上記画像形成装置４２ごと冷却ユニットＵＮ３Ｂから取り外すことができる。従って、構成部品の交換だけでなく、仕様変更等に応じて、画像形成装置４２をプロジェクターから交換できる。
【０１１７】
［第３実施形態の効果］
以上説明した本実施形態に係るプロジェクターは、上記プロジェクター１と同様の効果を奏することができる他、以下の効果を奏することができる。
冷却ユニットＵＮ３Ｂは、分岐部ＣＭ１３と第２熱交換器５６との間を接続する接続部材ＣＭＢ、及び、合流部ＣＭ２３とタンク５２２との間を接続する接続部材ＣＭＣを有する。そして、これら接続部材ＣＭＢ，ＣＭＣに、上記連結部６６，６７が設けられている。これによれば、第１密閉筐体５１１ごと冷却ユニットＵＮ３Ｂから分離でき、画像形成装置４２ごとプロジェクターから取り外すことができる。従って、プロジェクターのメンテナンス性を一層向上させることができる。
【０１１８】
［実施形態の変形］
本発明は、上記実施形態に限定されるものではなく、本発明の目的を達成できる範囲での変形、改良等は本発明に含まれるものである。
上記各実施形態では、冷却装置５，５Ａ，５Ｂは、第１循環流路５１を有するとした。しかしながら、これに限らず、第１循環流路５１は無くてもよい。すなわち、プロジェクターは、光源４１０１，４１０２及び光源冷却部４１０４を含む光源ユニットと、光変調装置４７２及び冷却部４７６を含む光学ユニットと、これらユニットと接続部材を介して接続され、それぞれ液体冷媒である第２冷媒ＲＥ２及び第３冷媒ＲＥ３を冷却する冷却ユニットと、を備えていればよく、他の構成は無くてもよい。
【０１１９】
上記各実施形態では、光源ユニットＵＮ１，ＵＮ１Ａを流通する第３冷媒ＲＥ３と、光学ユニットＵＮ２を流通する第２冷媒ＲＥ２とは、流路が異なるとした。すなわち、第３循環流路５３を循環する第３冷媒ＲＥ３と、第２循環流路５２を循環する第２冷媒ＲＥ２とは、交わらないとした。しかしながら、これに限らず、同じ循環流路上に、光源ユニットＵＮ１，ＵＮ１Ａを構成する光源冷却部４１０４と、光学ユニットＵＮ２を構成する冷却部４７６とが設けられていてもよい。この場合でも、当該循環流路において、光源冷却部４１０４を挟む位置、及び、冷却部４７６を挟む位置に連結部６が設けられていることによって、光源ユニットＵＮ１，ＵＮ１Ａ、光学ユニットＵＮ２及び冷却ユニットＵＮ３，ＵＮ３Ｂのいずれかを、接続されている他のユニットに対して分離及び取外しできる。
【０１２０】
上記各実施形態では、連結部６は、雄カプラーＣＰ１及び雌カプラーＣＰ２を有するカプラーＣＰによって構成され、当該カプラーＣＰは、弁付きカプラーであるとした。しかしながら、これに限らず、当該カプラーＣＰは、弁付きカプラーでなくてもよく、互いに組み合わされるカプラーの形状は同じでもよく、連結部６毎に異なるカプラーを採用してもよい。更に、連結部６は、各接続部材に設けられるカプラー以外の構成が採用されてもよい。例えば、光源冷却部４１０４及び冷却部４７６等の冷却部から、接続部材を構成する配管が分離可能に構成されていてもよい。
また、液体冷媒の流路において、雄カプラーＣＰ１は上流側に位置し、雌カプラーＣＰ２は下流側に位置するとした。しかしながら、これに限らず、雄カプラーＣＰ１及び雌カプラーＣＰ２のうち上流側に位置するカプラーは、どちらでもよい。
【０１２１】
上記各実施形態では、第３冷媒ＲＥ３が循環する第３循環流路５３において第３熱交換器５３３に対する上流側に、第１ラジエータ５３２が配置されるとした。しかしながら、これに限らず、第３熱交換器５３３に十分に温度が低い第３冷媒ＲＥ３を流通させることができれば、第１ラジエータ５３２は無くてもよい。また、第１ラジエータ５３２を設ける場合でも、第３循環流路５３における第３熱交換器５３３と、光源冷却部４１０４との間に、第１ラジエータ５３２を設けてもよい。すなわち、第１ラジエータ５３２の配置は、適宜変更可能である。第２ラジエータ５３４も同様である。
【０１２２】
上記各実施形態では、それぞれ放熱器である第１ラジエータ５３２及び第２ラジエータ５３４は、光源４１０１，４１０２及び光変調装置４７２に対して熱的に隔離されているとした。すなわち、各ラジエータ５３２，５３４と、光源４１０１，４１０２及び光変調装置４７２との間には、これらが配置された各領域Ａ１，Ａ２を区画する隔壁２７が、外装筐体２内に設けられるとした。しかしながら、これに限らず、ラジエータ５３２，５３４によって放出された熱が、光源４１０１，４１０２及び光変調装置４７２に影響しない位置に、これらが配置されていればよい。例えば、隔壁２７は無くてもよく、他の部材を隔壁として用いて、ラジエータ５３２，５３４が配置される領域と、光源４１０１，４１０２及び光変調装置４７２が配置される領域とを区画してもよい。更に、第１領域Ａ１において、外装筐体２の外部から取り込まれた冷却気体の最下流にラジエータ５３２，５３４が配置されている場合等においては、光源４１０１，４１０２及び光変調装置４７２の配置は適宜変更可能である。また、タンク５３１は、第２領域Ａ２に配置されてもよい。
【０１２３】
上記各実施形態では、第１ラジエータ５３２及び第２ラジエータ５３４が配置される第１領域Ａ１内には、当該第１領域Ａ１内に開口する導入口２６１によって外装筐体２外から取り込まれた冷却気体が流通し、これらラジエータ５３２，５３４を流通した冷却気体は、同じく第１領域Ａ１内に開口する排出口２４２を介して外装筐体２外に排出されるとした。しかしながら、これに限らず、例えば第２領域Ａ２を流通した冷却気体、或いは、他の冷却対象に流通した冷却気体が、各ラジエータ５３２，５３４に流通するように構成してもよい。但し、外装筐体２外の比較的温度が低い冷却気体を、各ラジエータ５３２，５３４に流通させる方が、これらラジエータ５３２，５３４による第３冷媒ＲＥ３の冷却効率が高いことは言うまでもない。
【０１２４】
上記各実施形態では、連結部６は、光源ユニットＵＮ１，ＵＮ１Ａ、光学ユニットＵＮ２及び冷却ユニットＵＮ３，ＵＮ３Ｂを互いに分離可能な位置に配置されるとした。そして、連結部６は、上記第１実施形態では４つ設けられ、上記第２実施形態では５つ、上記第３実施形態では６つ設けられるとした。しかしながら、これに限らず、更に多くの連結部６を設けてもよい。例えば、第１光源４１０１及び光源冷却部４１０４と、第２光源４１０２及び光源冷却部４１０４とが、それぞれ個別に取外しできるように、連結部６を設けてもよい。このような連結部６の位置としては、上記第３循環流路５３において、第１光源４１０１に設けられる光源冷却部４１０４を挟む位置、及び、第２光源４１０２に設けられる光源冷却部４１０４を挟む位置のそれぞれが例示される。
また、上記各実施形態にて示した構成は、それぞれ組合せ可能である。例えば、冷却装置５Ａ，５Ｂの構成を組み合わせ、光源ユニットＵＮ１Ａ及び冷却ユニットＵＮ３Ｂが互いに着脱可能とし、光学ユニットＵＮ２及び冷却ユニットＵＮ３Ｂが互いに着脱可能とした上で、更に、光源ユニットＵＮ１Ａにおける光源部４１０及び光学素子部ＤＰが互いに分離可能とし、更に、冷却ユニットＵＮ３Ｂに対して画像形成装置４２を分離可能に構成してもよい。
【０１２５】
上記各実施形態では、第２循環流路５２において第２冷媒ＲＥ２を圧送して循環させるポンプと、第３循環流路５３において第３冷媒ＲＥ３を圧送して循環させるポンプとは、同じポンプ５５であるとした。しかしながら、これに限らず、当該ポンプ５５に代えて、第２冷媒ＲＥ２を圧送するポンプと、第３冷媒ＲＥ３を圧送するポンプとを、個別に設けてもよい。
【０１２６】
上記各実施形態では、プロジェクターは、３つの光変調装置４７２（４７２Ｒ，４７２Ｇ，４７２Ｂ）を備えるとした。しかしながら、これに限らず、２つ以下、或いは、４つ以上の光変調装置を備えるプロジェクターにも、本発明を適用可能である。
上記各実施形態では、画像投射装置４は、図２に示した構成及びレイアウトを有するとしたが、当該画像投射装置４の構成及びレイアウトは、適宜変更可能である。
【０１２７】
上記各実施形態では、光変調装置４７２は、光入射面と光出射面とが異なる透過型の液晶パネル４７４を有するとした。しかしながら、これに限らず、光変調装置は、光入射面と光出射面とが同一となる反射型の液晶パネルを有する構成としてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【０１２８】
上記各実施形態では、光源装置４１は、光源として、ＬＤである固体光源ＳＳが複数配列された固体光源アレイＳＡを有する第１光源４１０１及び第２光源４１０２を備えるとした。しかしながら、これに限らず、光源装置は、光源ランプを有する構成としてもよい。また、上記固体光源ＳＳに代えて、ＬＥＤ（Light Emitting Diode）等の他の固体光源を有する構成としてもよい。
【符号の説明】
【０１２９】
１…プロジェクター、２…外装筐体、２４２…排出口、２６１…導入口、２７…隔壁、４１０１…第１光源（光源）、４１０２…第２光源（光源）、４１０４…光源冷却部（第１冷却部）、４１７…光拡散装置、４１７１…光拡散素子（光学素子）、４１９…波長変換装置、４１９１…波長変換素子（光学素子）、４７２（４７２Ｂ，４７２Ｇ，４７２Ｒ）…光変調装置、４７３…入射側偏光板、４７５…出射側偏光板、４７６…冷却部（第２冷却部）、５，５Ａ，５Ｂ…冷却装置、５１…第１循環流路、５１１…第１密閉筐体、５１２…循環ファン、５１３〜５１５…送風ファン、５２…第２循環流路、５２１…第１熱交換器、５２２…タンク、５３…第３循環流路、５３１…タンク、５３２…第１ラジエータ（ラジエータ、放熱器）、５３３…第２熱交換器（第３冷却部）、５３４…第２ラジエータ（放熱器）、５４…第４循環流路、５４１…第２密閉筐体、５４２…循環ファン、５５…ポンプ、５５１…圧送部、５５２，５５３…流入室、５６…第２熱交換器、５６１…受熱部、５６２…放熱部、５６３…熱伝達部、６（６１〜６７）…連結部、Ａ１…第１領域、Ａ２…第２領域、ＣＭ…接続部材（第２接続部材）、ＣＭ１…接続部材、ＣＭ１１，ＣＭ１２…配管、ＣＭ１３…分岐部、ＣＭ２…接続部材、ＣＭ２１，ＣＭ２１…配管、ＣＭ２３…合流部、ＣＮ…接続部材（第１接続部材）、ＣＮＡ…接続部材（第３接続部材）、ＣＰ…カプラー、ＣＰ１…雄カプラー（第１連結部、第２連結部）、ＣＰ２…雌カプラー（第１連結部、第２連結部）、ＤＰ…光学素子部、ＦＮ４，ＦＮ５…冷却ファン、ＲＥ１…第１冷媒、ＲＥ２…第２冷媒（第２液体冷媒）、ＲＥ３…第３冷媒（第１液体冷媒）、ＲＥ４…第４冷媒、Ｓ１…第１空間、Ｓ２…第２空間、ＵＮ１，ＵＮ１Ａ…光源ユニット、ＵＮ２…光学ユニット、ＵＮ３，ＵＮ３Ｂ…冷却ユニット。
【図１】
2019074695.tif 000003
【図２】
2019074695.tif 000004
【図３】
2019074695.tif 000005
【図４】
2019074695.tif 000006
【図５】
2019074695.tif 000007
【図６】
2019074695.tif 000008
【図７】
2019074695.tif 000009
【図８】
2019074695.tif 000010